(57)【要約】ユーザからの信号パラメータ・プログラミング入力を受信するように構成されたＩ２Ｃバスを有する外部デジタルＩＣコントローラと通信するためのデジタル制御インターフェイス（２００，図１）を含んでいる集積型ポスト・アンプ及びレーザー・ドライバ・アセンブリ（３０２Ａ，図１）が提供されている。ＰＡ／ＬＤ（１００，図１）は、グルー論理モジュールを介してデジタル制御インターフェイスと通信する一つ若しくは複数のＤＡＣ（１０４ｎ，図１）を含んでいる。ＰＡ／ＬＤには、グルー論理モジュールを介してＤＡＣと通信し、かつＤＡＣを介して一つ若しくは複数の信号の信号パラメータに対する変更の実行を促進するためのアルゴリズムを記憶するメモリが提供されている。Ｉ２Ｃバスを介したユーザからの、かつ／若しくは、内部コード化されたアルゴリズムからの信号パラメータ・プログラミング命令は、ＰＡ／ＬＤにおいて受信され、一つ若しくは複数の信号の信号パラメータに対する変更の実行を促進するためにＤＡＣによって使用される。
2005535271.tif 000002
【特許請求の範囲】
【請求項１】
光学受信機及び光学送信機と連動して使用するための集積型ポスト・アンプ及びレーザー・ドライバ・アセンブリであって、
前記光学受信機と通信するように構成されたポスト・アンプ・アセンブリと、
前記ポスト・アンプと共に単一のＩＣにより具体化され、信号の極性を制御する手段を含み、かつ前記光学送信機と通信するように構成されたレーザー・ドライバ・アセンブリと、
前記ポスト・アンプ・アセンブリ及び前記レーザー・ドライバ・アセンブリと少なくとも間接的に通信するデジタル制御インターフェイスと、を備える集積型ポスト・アンプ及びレーザー・ドライバ・アセンブリ。
【請求項２】
請求項１に記載の集積型ポスト・アンプ及びレーザー・ドライバ・アセンブリにおいて、
信号の極性を制御する前記手段は、
第一及び第二伝播経路を含む信号を受信することと、
前記信号の極性が所定の基準と一致するか否かを判断することと、
必要に応じて、前記信号の極性を調整することにより前記信号を変更して、前記所定の基準と一致する極性を有する変更信号を生成することと、
前記変更信号を送信することと、を含むプロセスを実行する、集積型ポスト・アンプ及びレーザー・ドライバ・アセンブリ。
【請求項３】
請求項２に記載の集積型ポスト・アンプ及びレーザー・ドライバ・アセンブリでにおいて、信号の極性を制御する前記手段は、前記信号の前記第一伝播経路と前記第二伝播経路との間の関係を変更することによって、前記信号の極性を調整する、集積型ポスト・アンプ及びレーザー・ドライバ・アセンブリ。
【請求項４】
請求項２に記載の集積型ポスト・アンプ及びレーザー・ドライバ・アセンブリにおいて、信号の極性を制御する前記手段は、前記信号の前記第一伝播経路と前記第二伝播経路とを電気的に交差させることによって、前記信号の極性を調整する、集積型ポスト・アンプ及びレーザー・ドライバ・アセンブリ。
【請求項５】
請求項２に記載の集積型ポスト・アンプ及びレーザー・ドライバ・アセンブリにおいて、信号の極性を制御する前記手段は、前記信号の前記第一伝播経路と前記第二伝播経路との間に存在する電位差を変更することによって、前記信号の極性を調整する、集積型ポスト・アンプ及びレーザー・ドライバ・アセンブリ。
【請求項６】
請求項２に記載の集積型ポスト・アンプ及びレーザー・ドライバ・アセンブリにおいて、信号の極性を制御する前記手段は、前記第一伝播経路及び前記第二伝播経路の電気的極性を相互に相対的に変更することによって、前記信号の極性を調整する、集積型ポスト・アンプ及びレーザー・ドライバ・アセンブリ。
【請求項７】
請求項２に記載の集積型ポスト・アンプ及びレーザー・ドライバ・アセンブリにおいて、信号の極性を制御する前記手段は、必要に応じて、
前記信号の振幅を調整することと、
前記信号の立ち上がり時間を調整することと、のうちの少なくとも一方を実行することにより、前記信号をさらに変更する、集積型ポスト・アンプ及びレーザー・ドライバ・アセンブリ。
【請求項８】
請求項２に記載の集積型ポスト・アンプ及びレーザー・ドライバ・アセンブリにおいて、前記判断プロセス及び変更プロセスのうちの少なくとも一方は、デジタル制御信号に応答して実行される、集積型ポスト・アンプ及びレーザー・ドライバ・アセンブリ。
【請求項９】
請求項１に記載の集積型ポスト・アンプ及びレーザー・ドライバ・アセンブリにおいて、信号の極性を制御する前記手段は、単一の極性制御ステージを含むアンプを備えている、集積型ポスト・アンプ及びレーザー・ドライバ・アセンブリ。
【請求項１０】
請求項１に記載の集積型ポスト・アンプ及びレーザー・ドライバ・アセンブリにおいて、前記デジタル制御インターフェイスは、シリアル・デジタル・インターフェイスを備えている、集積型ポスト・アンプ及びレーザー・ドライバ・アセンブリ。
【請求項１１】
請求項１に記載の集積型ポスト・アンプ及びレーザー・ドライバ・アセンブリは更に、
前記デジタル制御インターフェイスと通信するグルー論理モジュールと、
前記グルー論理モジュール及び前記ポスト・アンプ・アセンブリと通信する第一デジタル・アナログ変換器と、
前記グルー論理モジュール及び前記レーザー・ドライバ・アセンブリと通信する第二デジタル・アナログ変換器と、を備えている、集積型ポスト・アンプ及びレーザー・ドライバ・アセンブリ。
【請求項１２】
請求項１に記載の集積型ポスト・アンプ及びレーザー・ドライバ・アセンブリにおいて、前記ポスト・アンプ・アセンブリは、信号の極性を制御する手段を含んでいる、集積型ポスト・アンプ及びレーザー・ドライバ・アセンブリ。
【請求項１３】
請求項１２に記載の集積型ポスト・アンプ及びレーザー・ドライバ・アセンブリにおいて、前記ポスト・アンプ・アセンブリの信号の極性を制御する手段は、単一の極性制御ステージを有するアンプを備えている、集積型ポスト・アンプ及びレーザー・ドライバ・アセンブリ。
【請求項１４】
光学受信機及び光学送信機に接続して使用するための集積型ポスト・アンプ及びレーザー・ドライバ・アセンブリであって、
前記光学受信機と通信するように構成されたポスト・アンプ・アセンブリと、
前記光学送信機と通信するように構成されたレーザー・ドライバ・アセンブリと、
前記ポスト・アンプ・アセンブリ及び前記レーザー・ドライバ・アセンブリと少なくとも間接的に通信するデジタル制御インターフェイスと、
前記ポスト・アンプ・アセンブリ及び前記レーザー・ドライバ・アセンブリのうちの少なくとも一方に関連した信号に対応する信号パラメータを、信号パラメータ・プログラミング命令に応答して、設定する手段と、を備える集積型ポスト・アンプ及びレーザー・ドライバ・アセンブリ。
【請求項１５】
請求項１４に記載の集積型ポスト・アンプ及びレーザー・ドライバ・アセンブリにおいて、前記ポスト・アンプ・アセンブリ及び前記レーザー・ドライバ・アセンブリは、単一のＩＣにより共に集積されている、集積型ポスト・アンプ及びレーザー・ドライバ・アセンブリ。
【請求項１６】
請求項１４に記載の集積型ポスト・アンプ及びレーザー・ドライバ・アセンブリにおいて、信号パラメータを設定する前記手段は、一つ若しくは複数の信号パラメータの動的な制御を可能にする、集積型ポスト・アンプ及びレーザー・ドライバ・アセンブリ。
【請求項１７】
請求項１４に記載の集積型ポスト・アンプ及びレーザー・ドライバ・アセンブリにおいて、信号パラメータを設定する前記手段は、ユーザ、並びに集積型ポスト・アンプ及びレーザー・ドライバ・アセンブリ内においてエンコードされたアルゴリズムのうちの一方から、少なくとも間接的に受信された信号パラメータ・プログラミング命令に応答して、動作する、集積型ポスト・アンプ及びレーザー・ドライバ・アセンブリ。
【請求項１８】
請求項１４に記載の集積型ポスト・アンプ及びレーザー・ドライバ・アセンブリにおいて、信号パラメータを設定する前記手段は、該関連する温度条件の変化に対応して、信号パラメータの変更を実行することが可能である、集積型ポスト・アンプ及びレーザー・ドライバ・アセンブリ。
【請求項１９】
請求項１４に記載の集積型ポスト・アンプ及びレーザー・ドライバ・アセンブリにおいて、前記信号パラメータに対応する前記信号は、制御信号、データ信号、電力信号、及び監視信号により構成されるグループから選択される、集積型ポスト・アンプ及びレーザー・ドライバ・アセンブリ。
【請求項２０】
請求項１４に記載の集積型ポスト・アンプ及びレーザー・ドライバ・アセンブリにおいて、前記デジタル制御インターフェイスは、シリアル・デジタル・インターフェイスを備えている、集積型ポスト・アンプ及びレーザー・ドライバ・アセンブリ。
【請求項２１】
請求項１４に記載の集積型ポスト・アンプ及びレーザー・ドライバ・アセンブリは更に、それに関連したデータ信号に関する動作のために設うけられた信号の極性を制御する手段を備えている、集積型ポスト・アンプ及びレーザー・ドライバ・アセンブリ。
【請求項２２】
請求項１４に記載の集積型ポスト・アンプ及びレーザー・ドライバ・アセンブリは更に、前記信号パラメータに対応する前記信号に関連した動作をするように構成され、かつ設けられたフィードバック・ループを備えている、集積型ポスト・アンプ及びレーザー・ドライバ・アセンブリ。
【請求項２３】
請求項１４に記載の集積型ポスト・アンプ及びレーザー・ドライバ・アセンブリにおいて、複数のプロトコル及び回線速度に適合している集積型ポスト・アンプ及びレーザー・ドライバ・アセンブリ。
【発明の詳細な説明】
【技術分野】
【０００１】
本発明は、一般には、高速データ送信システムに関するものである。より詳細には、本発明の実施形態は、種々の信号パラメータを変更することが可能であるように構成されたシステム及びデバイスに関するものであり、それによって、特定のシステムプロトコル、回線速度、動作要求、動作条件、及びそのシステム又はデバイスの動作及び性能に関する他の検討材料に適合する。
【背景技術】
【０００２】
高速データ送信ネットワークの多くは、光学信号の形で具体化されたデジタルデータの送信及び受信を促進するための光学送受信機及び同種のデバイスを利用している。そのようなネットワークにおける典型的なデータ送信は、例えばレーザーのような光学送信機により実行され、一方、データ受信は、一般的に、例えばフォトダイオードのような光学受信機により実行される。
【０００３】
送信及び受信のための光学部品の制御、並びに、種々のデータ及び他の信号の処理を支援するための様々な他の部品もまた、光学送受信機において使用されている。例えば、そのような光学送受信機は、一般的に、種々の制御入力に応答して、光学送信機の動作を制御するように構成されたドライバを含んでいる。そのような光学送受信機はまた、一般的に、その光学送受信機により受信されたデータの信号パラメータ毎に種々の動作を実行するように構成されたポスト・アンプを含んでいる。
【０００４】
従来の光学送受信機において、そのようなドライバ及びポスト・アンプは、種々の形の信号を利用することによって、ポスト・アンプ及びドライバに関する制御及びフィードバック機能を実行する。例として、光学データ信号が消失した場合、ポスト・アンプは対応する信号消失（ｌｏｓｓ−ｏｆ−ｓｉｇｎａｌ，「ＬＯＳ」）表示を生成し、かつ送信し得る。一般的に、ポスト・アンプ又は他の部品が、特定の基準が満たされたと判断した場合に、ＬＯＳのような信号の表示及び非表示は実行される。一つのそのような基準の例は、信号電力の閾値である。例えば、光学信号電力が特定の値を下回ったことをポスト・アンプが検出した場合に、ＬＯＳ信号は表示される。
【０００５】
一般に、そのような基準は、特定のシステムプロトコル、回線速度、動作要求、及び／又は動作条件に関連して定義された一定値を含んでいる。例えば、ＬＯＳ信号が表示される際の電力閾値は、送受信機が使用されるシステムの回線速度に依存して異なる。このように、同期光ネットワーク（ｓｙｎｃｈｒｏｎｏｕｓ  ｏｐｔｉｃａｌ  ｎｅｔｗｏｒｋ，「ＳＯＮＥＴ」）ＯＣ−１２システムにおけるＬＯＳ信号の表示のための電力閾値は、ＳＯＮＥＴ  ＯＣ−４８システムにおけるＬＯＳ信号の表示のための電力閾値に比べて小さい。
【０００６】
先に示唆したように、典型的な光学送受信機、並びに、同種の装置及びデバイスは、それらが使用されるシステムの型によって、完全に制約される。これは、ポスト・アンプ及び／又はドライバによる種々の制御信号及びフィードバック信号の表示及び非表示を決定する様々な基準は、製造時に予め設定された値を有しており、後に変更又は調整することは不可能であるという事実によるところが大部分である。そのような柔軟性の欠如は問題である。
【０００７】
例えば、ＳＯＮＥＴ  ＯＣ−４８システムに適合するように設定された種々の閾値及び他の値を有するデバイスを、異なった回線速度を有するＳＯＮＥＴ  ＯＣ−１２システムのような他のシステムに接続して直ちに使用することは不可能である。従って、加入者がより高速の回線速度にアップグレードすることを望んだ場合は、低速の送受信機を使用することは不可能であり、それゆえ、加入者は、より高速の回線速度に適合した新しい光学送受信機を購入し、それをインストールせざるを得ない。
【０００８】
前述の問題の一つの詳細な例は、ＬＯＳの閾値の表示及び非表示に関連するものであるが、以下の関心は、一般的な他の信号の閾値の表示及び非表示についても密接に関連する。柔軟性を向上させる試みにおいて、ＬＯＳの表示のための作動帯域が予め広く定義されたデバイスが幾らか構成された。そのような構成は、ＬＯＳの表示及び非表示のための多様な異なる作動レベルを必然的に伴う複数のプロトコル及び回線速度に、名目上、適合する一方、単独の作動レベルとは対照的な作動帯域の定義を必然的に伴う。しかしながら、複数のプロトコル及び／又は回線速度でデバイスを使用することに関係して、潜在的に広い範囲の作動レベルに適合するためには、作動帯域の定義及び実行は不可欠である。作動帯域は、そのようなデバイスを再プログラムすることが不可能であることからも不可欠である。このように、たとえ相対的に非効率的であったとしても、デバイスが複数のプロトコルで使用可能であることを特定のレベルで保証するためには、第一に初期設定においては、広い作動帯域が定義される。
【０００９】
先に示唆したように、作動帯域の定義及び使用は、任意の単独のプロトコル又は回線速度に典型的に関連した値に比べ、相対的に広い範囲の値によって、ＬＯＳの表示が作動するため、問題である。結果として、ＬＯＳは過度に広い条件範囲に渡って表示されるため、デバイスの感度の低下に見舞われる。
【００１０】
周知のデバイスに関連した柔軟性の不足は、他の方法によっても明示される。例えば、温度変化を補償するために、光学信号の立ち上がり時間の変更が可能であることが望ましい場合がある。しかしながら、予め設定された光学信号の立ち上がり時間を有するデバイスは、そのような温度変化に適合することは出来ない。それゆえ、そのようなデバイスの動作上の柔軟性の不足により、システム全体の動作上の有効性は低下し得る。
【００１１】
前述の関心は、本明細書において先に示唆された典型的な送受信機に伴う、より一般的な、かつ重要な問題、つまり、そのような送受信機が多様な異なるシステムの動作環境に有効に適合すること、かつ、動的な動作条件及び動作環境に頻繁に適合することが不可能であることを例示している。
【発明の開示】
【発明が解決しようとする課題】
【００１２】
上記を考慮すると、単一のデバイスが、動作パラメータ、システムプロトコル、及び動作条件の広い範囲に渡って有効的に動作することが可能であるように、柔軟に構成された送受信機を提供することは有用である。例えば、その送受信機は、ユーザが種々の動作パラメータ及び性能パラメータを調整することが可能であるように構成されているべきである。加えて、そのデバイスは、動作パラメータ、プロトコル、及び動作条件の変化により必然的に、その動作の態様を自動的に調整することが可能であるべきである。
【課題を解決するための手段】
【００１３】
一般に、本発明の実施形態は、特定のシステムプロトコル、回線速度、動作要求、動作条件、及び他の検討材料に適合するために、種々の信号パラメータをプログラミング及び再プログラミングすることが可能であるように構成されたプログラム可能なシステム及びデバイスに関する。
【００１４】
本発明の一つの例示の実施形態において、高速通信システムにおける使用に適し、かつ光学受信機及び光学送信機とインターフェイスするように構成された、集積型ポスト・アンプ及びレーザー・ドライバ（ｐｏｓｔ−ａｍｐｌｉｆｉｅｒ  ａｎｄ  ｌａｓｅｒ  ｄｒｉｖｅｒ，「ＰＡ／ＬＤ」）アセンブリが提供されている。ＰＡ／ＬＤは、単一のＩＣとして構成され、かつユーザからの信号パラメータのプログラミング入力を受信するように構成されたＩ２Ｃバスを有する外部デジタルＩＣコントローラと通信するためのデジタル制御インターフェイスを含んでいる。ＰＡ／ＬＤはさらに、グルー論理モジュールを介して、デジタル制御インターフェイスと通信する一つ若しくは複数のＤＡＣを含んでいる。グルー論理モジュールを介してＤＡＣと通信し、かつＤＡＣを介して一つ若しくは複数の信号の信号パラメータの変更の実行を促進するためのアルゴリズムを記憶メモリがＰＡ／ＬＤに提供されている。
【００１５】
動作の間、Ｉ２Ｃバスを介したユーザからの、かつ／若しくは、内部コード化されたアルゴリズムからの信号パラメータ・プログラミング命令がＰＡ／ＬＤにおいて受信される。次いで、その信号パラメータ・プログラミング命令は、ＤＡＣにより、一つ若しくは複数の信号の信号パラメータの変更の実行を促進するのに使用される。一つの例示の場合、ＰＡ／ＬＤは、特に、入力光学信号強度検出器から電圧ＶＩＮを受信するように構成されたＬＯＳ回路を含んでいる。ＬＯＳ回路はまた基準電圧ＶＲＥＦを受信し、その値は対応するＤＡＣを介してプログラムされている。ＶＩＮのＶＲＥＦからの変位が所定の範囲に収まらない時は、ＬＯＳ回路はＬＯＳ信号を有効にする。ＬＯＳ回路は、ＬＯＳ信号の無効に関しても同様に動作する。
【００１６】
本発明の実施形態のこれら及び他の態様は、以下の詳細な説明及び添付請求項から十分に明らかとなろう。
【発明を実施するための最良の形態】
【００１７】
本発明の上記列挙の利点及び特徴、並びに他の利点及び特徴を得るために、添付図面に示す特定の実施形態を参照することによって、上記においては簡明に説明した本発明のより詳細な説明が与えられる。これらの図面は本発明の典型的な実施形態を描いているに過ぎず、それゆえ、本発明の範囲を制限するものとはみなされないことを理解した上で、添付図面を使用して、本発明は、追加の特定及び詳細を伴って、記載され、説明される。
【００１８】
以下に、本発明の例示の実施形態の種々の態様を説明する図面が参照される。図面は、そのような例示の実施形態の概略図であり、本発明を制限することも、それらが適切な尺度で描かれている必要性もないこともないことも理解されよう。
【００１９】
Ａ．例示のＰＡ／ＬＤの具体化の態様
本発明の特定の実施形態は、ギガビット・イーサネット（Ｇｉｇａｂｉｔ  Ｅｔｈｅｒｎｅｔ，「ＧｉｇＥ」）の物理仕様に準拠した高速データ送信システムに連動して使用するのに適合していることに注意されたい。そのような動作環境は単に例示のためであり、本発明の実施形態は、より一般に、回線速度が最大２．５Ｇｂｉｔ、若しくは２．５Ｇｂｉｔを超えるような多様な高速データ送信システムのうちの任意のシステムにおいても使用され得る。例えば、本発明の特定の実施形態は、ファイバー・チャンネル（Ｆｉｂｒｅ  Ｃｈａｎｎｅｌ，「ＦＣ」）の物理仕様に適合している。
【００２０】
さらに、本発明の実施形態は種々の方法で具体化され得る。例として、ＰＡ／ＬＤの特定の実施形態は、プラグ接続式スモール・フォーム・ファクタ（Ｓｍａｌｌ  Ｆｏｒｍ  Ｆａｃｔｏｒ  Ｐｌｕｇｇａｂｌｅ，「ＳＦＰ」）双方向送受信機モジュールにおいて具体化される。先に示唆したように、そのような送受信機モジュールはＧｉｇＥ及び／又はＦＣに準拠するように構成されている。例として、そのような送受信機モジュールは約８５０ｎｍの波長において送信及び／又は受信することが可能である。さらに、これらの送受信機モジュールは広い温度範囲に渡って動作することが可能である。例えば、そのような送受信機モジュールのうちの特定のものは、約８０℃の温度範囲、例えば、約−１０℃から約＋７０℃の温度範囲に渡って有効である。もちろん、そのような実施形態及び関連する動作パラメータは単に例示のためであり、本発明の範囲を何ら制限しようとする意図はない。
【００２１】
Ｂ．例示のＰＡ／ＬＤのアーキテクチャの態様
最初に、図１を参照すると、集積型ポスト・アンプ及びレーザー・ドライバ（「ＰＡ／ＬＤ」）アセンブリ１００の例示の実施形態の一般的なアーキテクチャの種々の態様に関する詳細が提供されている。一般的に、ＰＡ／ＬＤ１００は、デジタルＩＣコントローラ２００，並びに、送信光学サブアセンブリ（ｔｒａｎｓｍｉｔ  ｏｐｔｉｃａｌ  ｓｕｂａｓｓｅｍｂｌｙ，「ＴＯＳＡ」）３００Ａ及び受信光学サブアセンブリ（ｒｅｃｅｉｖｅ  ｏｐｔｉｃａｌ  ｓｕｂａｓｓｅｍｂｌｙ，「ＲＯＳＡ」）３００Ｂと通信するように構成されている。
【００２２】
特に、ＰＡ／ＬＤ１００は、例としてシリアル・デジタル・インターフェイス（ｓｅｒｉａｌ  ｄｉｇｉｔａｌ  ｉｎｔｅｒｆａｃｅ，「ＳＤＩ」）として具体化され、かつグルー論理モジュール１０３に接続されたデジタル制御インターフェイス１０２を備えており、グルー論理モジュール１０３は、続いて、一つ若しくは複数のデジタル・アナログ変換器（ｄｉｇｉｔａｌ−ｔｏ−ａｎａｌｏｇ  ｃｏｎｖｅｒｔｅｒ，「ＤＡＣ」）１０４ｎに通信するように構成されている。プログラム可能な送受信機及び関連デバイスの説明に関連して以下に示すように、そのようなＤＡＣは、信号パラメータ・プログラミング命令に応答して信号パラメータを設定するための例示の具体的手段を備えており、そのような命令は、例えば、適切なバスを経由してユーザから直接受信されるか、若しくは、内部プログラムされたアルゴリズムにより生成され得る。しかしながら、本発明の範囲はＤＡＣに制限されるものではない。寧ろ、同等の機能を有する任意の他のシステム、部品、又はデバイスも使用され得る。例えば、少なくとも特定の信号パラメータは、フィールド・プログラム可能ゲート・アレイ（ｆｉｅｌｄ  ｐｒｏｇｒａｍｍａｂｌｅ  ｇａｔｅ  ａｒｒａｙ，「ＦＰＧＡ」）又は同様のデバイスを代替して使用することによっても設定され得る。
【００２３】
前述のデジタル制御インターフェイスの一つの有用な態様は、それが、容易に一つ、若しくは相対的に少数のデジタル制御信号に多重化することが可能な複数の制御パラメータの使用を可能にすることである。このように、デジタル制御インターフェイスにより、制御可能なＰＡ／ＬＤ１００の動作の数は相対的に増加するが、それに対応して部品又は回路が増加する訳ではない。さらに、デジタル制御信号を使用することの利点により、デジタル制御インターフェイスはまたＰＡ／ＬＤ１００の動作の制御に必要とされる制御信号の数の相対的な減少に貢献する。上記に関連して、本明細書に記載の機能の一部、若しくは全てを実行するのに、内部シリアル・バス装置を代替して使用しても構わない。
【００２４】
本明細書において、ＰＡ／ＬＤ１００は、「ポスト・アンプ」又は「ポスト・アンプ・アセンブリ」、並びに、「レーザー・ドライバ」又は「レーザー・ドライバ・アセンブリ」を備えるものとして参照され、その例示の実施形態は、ＰＡ／ＬＤ１００により送信及び／又は受信された信号に関する特定の効果を実行するように意図された、一つ若しくは複数のアンプ、或いは他の制御デバイスを備え得ることに注意されたい。他の例においては、ポスト・アンプとレーザー・ドライバとの間の区別は無く、ＰＡ／ＬＤ１００は単に、ＰＡ／ＬＤ１００により送信及び／又は受信された信号に関する特定の効果を実行するように意図された、種々の制御及び他のデバイスを備えるものとして参照される。
【００２５】
しかしながら、一般に、ＰＡ／ＬＤ１００により受信されたデータ信号に主に関係する機能の実行に関与する典型的なデバイス及び／又はシステムは、「ポスト・アンプ」又は「ポスト・アンプ・アセンブリ」と参照される。他方、ＰＡ／ＬＤ１００によるデータ信号の送信の制御に主に関係する機能の実行に関与する典型的なデバイス及び／又はシステムは、「レーザー・ドライバ」又は「レーザー・ドライバ・アセンブリ」と参照される。それにも拘わらず、一つの実施形態における「ポスト・アンプ」の一部を備えるデバイス又はシステムが、別の実施形態における「レーザー・ドライバ」の一部を備え得る。従って、上記区別は、本発明の範囲をなんら制限する意図もなければ、制限するように構成されるべきでもない。
【００２６】
一般に、集積型ポスト・アンプ及びレーザー・ドライバ・アセンブリ１００の機能は、典型的には、片面ＰＣＢ上において単一のＩＣとして実装される。特定の例では、ＰＡ／ＬＤは非密封のリード・フレームを備えたプラスティックによりパッケージされたＩＣとして実装される。しかしながら、特定の用途又は動作環境の要求と整合した、例えばセラミックのパッケージのような他の型のＩＣのパッケージを代替して使用しても構わない。
【００２７】
単一のＩＣの構成の一つの有用な態様は、外部部品の一部、若しくは全てをそのＩＣ内に組み入れることが可能であるため、必要な外部デバイスの数が最小になることである。例として、本発明の少なくとも特定の実施形態では、定値、マッチング、フィルタ、及びＡ／Ｃ結合のような機能を実行する外部受動デバイスの必要性を排除される。しかし、その排除はそれらの機能に制限される訳ではない。単一のＩＣの構成の関連する態様は、ポスト・アンプとレーザー・ドライバとの間の、例えば電気コードのようなコネクタの必要性が一般に排除されることである。さらに、単一のＩＣのパッケージは、特定の場合、４ｍｍ×４ｍｍ程度の相対的に小サイズに組み入れることが可能である。
【００２８】
例示の実施形態において、ＴＯＳＡ３００Ａは、フォトダイオード３０４Ａに接続された垂直共振器型面発光レーザー（ｖｅｒｔｉｃａｌ  ｃａｖｉｔｙ  ｓｕｒｆａｃｅ  ｅｍｉｔｔｉｎｇ  ｌａｓｅｒ，「ＶＣＳＥＬ」）３０２Ａを典型的に備えている。少なくとも特定の実施形態において、ＶＣＳＥＬは非密封のリード・フレームのプラスティック・パッケージを備えている。少なくとも特定の用途において、ＶＣＳＥＬを望ましいものにする一つの態様は、それが相対的に低コストであることである。もちろん、他の型の光学送信機が使用されても構わない。一般に、ＰＡ／ＬＤ１００と整合する任意の光の送信源、及び送信波長が使用されても構わない。
【００２９】
同様に、ＲＯＳＡ３００Ｂは、トランスインピーダンス・アンプ（ｔｒａｎｓｉｍｐｅｄａｎｃｅ  ａｍｐｌｉｆｉｅｒ，「ＴＩＡ」）３０４Ｂに接続されたピン・フォトダイオード３０２Ｂを典型的に備えており、少なくとも本実施形態においては、その動作にキャパシタは不要である。さらに、少なくとも特定の実施形態においては、ＲＯＳＡは非密封のリード・フレームのプラスティック・パッケージとして実装される。しかしながら、ＴＯＳＡ３００Ａの場合のように、ＲＯＳＡ３００Ｂの他の実施形態も代替して使用され得る。
【００３０】
特定の実施形態において、ＴＯＳＡ３００Ａ及びＲＯＳＡ３００Ｂのうちの一方、若しくは両方は、それらの性能及び／又は関連する部品及びシステムの性能に関する評価及び診断の発展に有用なシステム及び／又はデバイスをさらに含んでいる。例として、そのような実施形態のＴＯＳＡ３００Ａ及び／又はＲＯＳＡ３００Ｂは、ピン・フォトダーオード３０２Ｂ又はフォトダイオード３０４Ａのような監視フォトダイオード、及び／又は電流ミラー回路と連動して使用されるログ・アンプを含んでいる。
【００３１】
ＴＯＳＡ３００Ａの特定の実施形態の別の態様は、それらが、レーザー変調のためのＤＣアクティブ・バイアスを規定することである。これにより、レーザー変調の用途において一般的に使用されるようなバイアスＴの変調デバイス及び回路の必要性は排除される。
【００３２】
さらに図１に例示するＰＡ／ＬＤの態様の参照を続けると、ＰＡ／ＬＤ１００の例示の実施形態は、多様な異なる信号を送信し、受信し、かつ／若しくは処理するように構成されている。そのような信号には、特に、データ及び監視信号、制御信号、又は、種々の部品への／種々の部品からの電力送信に関連する信号を含み得る。この例示の実施形態においては、データ信号はデジタルであり、ＲＸＩＮ＋／−及びＲＸＯＵＴ＋／−と称される信号を含んでいる。それらは、それぞれ、ＲＯＳＡ３００Ｂから受信されるデータ信号、及びＰＡ／ＬＤ１００により加入者に送信されるデータ信号を表す。同様に、ＴＸＩＮ＋／−及びＴＸＯＵＴ＋／−と称される信号は、それぞれ、ＰＡ／ＬＤ１００により受信される加入者からのデータ信号、及びＴＯＳＡ３００Ａに送信される加入者のデータ信号を表す。いずれの場合であっても、その＋／−記号は、少なくとも特定の実施形態においては、その信号チャンネルが異なる極性を有する二つのデータ送信線から成るという事実に起因する。それゆえ、この例示の実施形態において、ＴＸＩＮ＋／−と称される信号は、実際には、第一線ＴＸＩＮ＋及び第二線ＴＸＩＮ−を含んでいる。
【００３３】
先に示唆したように、一般的に、ＲＸＩＮ＋／−及びＲＸＯＵＴ＋／−が全く別の信号を含んでいる訳ではないことに注意されたい。寧ろ、ＲＸＯＵＴ＋／−信号は、単に、例えば、極性、立ち上がり時間、又は振幅のようなパラメータを変更することにより、改良されたＲＸＩＮ＋／−信号の一つのバージョンを含んでいる。同様なことは、ＴＸＩＮ＋／−信号及びＴＸＯＵＴ＋／−信号に関しても当てはまる。
【００３４】
さらに図１の参照を続けると、ＰＡ／ＬＤ１００はまた、デジタルＩＣコントローラ２００のデジタル制御インターフェイス２０２を介して、ＴＯＳＡ３００Ａの動作に関連する、かつ／若しくは、ＰＡ／ＬＤ１００により受信されたＲＯＳＡ３００ＢからのＲＸＩＮ＋／−データ信号の処理に関連する種々の制御信号を受信するように構成されている。そのような制御信号は、多様な変数のうちの任意の変数に従って適合され得る。例として、ＶＣＳＥＬ３０２Ａの温度は、例えばＰＡ／ＬＤ１００の回路素子のためのバイアス点に関連する制御信号を改良、若しくは調整するためのバイアスとして使用され得る。そのような制御信号の例は、以下にさらに詳細に検討される。
【００３５】
デジタルＩＣコントローラ２００からＰＡ／ＬＤ１００に送信される制御信号の更なる別の例は、ＴＸＤ信号である。一般に、ＴＸＤ信号は、ＰＡ／ＬＤ１００に対し、ＴＯＳＡ３００Ｂをシャット・ダウンするように命令する。ＴＯＳＡ３００Ｂのシャット・ダウンは、例えば、診断の性能を促進させるためにモジュールの電源を切ることが好ましい時に、或るいは、内部ショート又は過渡送信電力のような障害の兆候が存在する時に、実行され得る。図１に示すように、ＴＸＤ信号は、少なくとも特定の場合において、デジタルＩＣコントローラ２００から、個別のデジタル制御インターフェイスを介さずに、ＰＡ／ＬＤ１００に送信され得る。以下に説明するように、同様なことは、例えば、ＬＯＳ信号に関しても当てはまることに注意されたい。
【００３６】
デジタルＩＣコントローラ２００により生成され、かつＰＡ／ＬＤ１００に送信される種々の制御信号に加えて、一方の光学デバイスにより生成される信号も同様に、これらのデバイスの制御の支援及び／又は他の目的のために使用され得る。例として、図１及び図２に示すＰＡ／ＬＤ１００の実施形態において、ＴＯＳＡ３００ＡはＴＸＩ信号を生成し、そのＴＸＩ信号をＰＡ／ＬＤ１００に送信する。一般に、ＰＡ／ＬＤ１００において受信されるＴＯＳＡ３００ＡからのＴＸＩ信号は、ＴＯＳＡ３００Ａが動作している電流のレベルを示す。以下により詳細に説明するように、この例示の実施形態において、ＴＸＩ信号は、ＶＣＳＥＬ（図１）への入力電圧を制御するのに使用されるＰＡ／ＬＤ１００の電源回路に対する入力として機能する。
【００３７】
特定の場合において、ＴＸＩ信号は、制御機能を実行するよりも他の目的のために使用され得ることに注意されたい。例として、特定の例示の実施形態では、ＴＸＩ信号は、ＶＣＳＥＬ３０２の電流に関する監視機能を実行するのに使用される。そのような実施形態の一例についての詳細は、ＴＸＰ信号の説明と併せて以下に提供される。
【００３８】
先に示唆したように、ＰＡ／ＬＤ１００の実施形態はまた、種々の部品の動作及び／又は状態に関連する多様な監視信号を送信し、受信し、かつ／若しくは処理するように構成されている。ＰＡ／ＬＤ１００により実行される監視機能の一例は、ＬＯＳ信号により示されている。一般に、入力データ信号ＲＸＩＮ＋／−が消失した時に、或いは、特定の設定基準に適合しなかった時に、ＰＡ／ＬＤ１００によりＬＯＳ信号は生成され、デジタルＩＣコントローラ２００に送信される。
【００３９】
ＰＡ／ＬＤ１００に関連する他の例示の監視機能には、ＴＯＳＡ３００ＡからデジタルＩＣコントローラ２００に送信され、かつＴＯＳＡ３００Ａの光の強度を示すＴＸＰ信号が含まれる。しかしながら、ＰＡ／ＬＤ１００が、必ずこの例示の実施形態により実行されなければならないという訳ではない。より詳細には、ＴＸＰはＶＣＳＥＬ３０２Ａにおける光の強度に比例した電気信号である。同様の監視信号が、ＲＯＳＡ３００Ｂの動作に関連して生成される。特に、ＲＯＳＡ３００ＢからデジタルＩＣコントローラ２００に送信されるＲＸＰ信号は、ＲＯＳＡ３００Ｂの光の強度を示している。典型的には、ＲＸＰ信号は、ＲＯＳＡ３００Ｂのフォトダイオード３０２Ｂにおける光の強度に比例した電気信号を含んでいる。
【００４０】
例えばＴＸＰ信号のような、特定の監視信号は、監視機能を実行する以外の目的においても使用され得る。例として、特定の例示の実施形態においては、ＴＯＳＡ３００Ａへの電力の入力を制御するのに使用される電源回路に対する入力として、ＴＸＰ信号は使用される。
【００４１】
ＴＸＰ信号及びＴＸＩ信号の例示の態様の先の説明と関連して、特定の用途の要求に適応するために、必要に応じて、ＴＸＰ信号及びＴＸＩ信号、さらにより一般に本明細書において開示された他の信号の機能を特定の場合においては、交換しても構わないことに注意されたい。
【００４２】
先に注記したように、図１及び図２に示すＰＡ／ＬＤ１００の実施形態では、ＴＸＰ信号はＴＯＳＡ３００Ａの性能に関する監視機能を提供し、かつ、ＴＸＩ信号はＴＯＳＡ３００Ａへの電力を制御する電源回路に対する入力として機能するように構成されている。しかしながら、代替として、ＰＡ／ＬＤ１００の別の実施形態では、ＴＸＩ信号はＴＯＳＡ３００Ａの性能に関する監視機能を提供し、一方、ＴＸＰ信号はＴＯＳＡ３００Ａへの電力を制御する電源回路に対する入力として機能するように構成されても構わない。いずれの場合でも、その監視信号は、内部の、かつ／若しくは外部のユーザに提供され得る。ＰＡ／ＬＤ１００のさらに他の実施形態においては、監視機能を提供する信号は完全に省略されても構わない。このように、先の実施形態は例示の実施形態であり、本発明の範囲を何ら制限する意図はない。
【００４３】
種々の監視機能及び制御機能を実行する信号に加えて、更に、電力伝送及び制御のようなＰＡ／ＬＤ１００の動作の態様に関する他の信号もＰＡ／ＬＤ１００に連動して使用される。例として、ＶＣＳＥＬ３０２Ａに電力を供給するために、ＴＯＳＡ３００Ａに印加される実際のＤＣバイアス電流であるＬＤＩ信号がある。別の例としては、ＶＣＳＥＬへの入力電圧を制御するフィードバックシステムに対する入力である基準電圧信号ＶＲＥＦがある。
【００４４】
もちろん、本明細書において開示する種々のデータ、監視、電力、制御、及び他の信号の列挙及び組み合わせは、例示の目的のみであり、本発明の範囲を制限する意図はない。従って、ＰＡ／ＬＤ１００の他の例示の実施形態は、必要に応じて、特定のシステム又は用途の要求に適合するような追加機能又は代替機能を含めても、実行しても、若しくは具体化しても構わない。更に、種々のシステム及びデバイスの性能の監視及び／又は制御の際に、多様な異なる信号及びそれらの組み合わせに関連したフィードバック・ループ及び回路が使用されても構わない。このように、本発明の範囲が、本明細書に開示の例示の実施形態に制限されるように構成されるべきではない。
【００４５】
以下に、図２に注目すると、ＰＡ／ＬＤ１００の例示の実施形態のアーキテクチャの種々の態様に関する更なる詳細が提供されている。同図に示すように、ＰＡ／ＬＤ１００のこの実施形態のデジタル制御インターフェイス１０２は、典型的には、データピン及び有効ピンにおいて、それぞれマスター・イン・スレーブ・アウト（ｍａｓｔｅｒ−ｉｎ−ｓｌａｖｅ−ｏｕｔ，「ＭＩＳＯ」）及びマスター・アウト・スレーブ・イン（ｍａｓｔｅｒ−ｏｕｔ−ｓｌａｖｅ−ｉｎ，「ＭＯＳＩ」）制御信号を、並びに、デジタルＩＣコントローラ２００からのシステム・クロック（ｓｙｓｔｅｍ  ｃｌｏｃｋ，「ＳＣＫ」）信号を受信するのに適合した三つのピンの配置を備えている。本発明の特定の実施形態において、二、三個のピンのシリアル・インターフェイスが特に有用であるが、シリアル・インターフェイスを、より一般に、任意の業界標準の、若しくは特別注文のシリアル・インターフェイスとして具体化しても構わない。
【００４６】
デジタル制御インターフェイス１０２は、続いて、グルー論理モジュール１０３を経由して、１０４Ａから始まる複数のＤＡＣ１０４ｎと通信する。例示の実施形態においては、九個のＤＡＣが提供されているが、その数は特定の用途又はシステムの要求に応じて変更可能である。以下に説明するように、ＤＡＣは、一般に、デジタル制御信号を、ＰＡ／ＬＤ１００により作用され得るアナログ信号に変換する機能を実行する。この例示の実施形態において、特定のＤＡＣは８ビットＤＡＣから成るが、種々の他のタイプのＤＡＣを代替して使用しても構わない。
【００４７】
図２に示すように、この例示の実施形態のＤＡＣは、それぞれ、以下の信号に関連する。ＤＡＣ１０４Ａ−ＲＸＲＴ（ＲＸＩＮ＋／−の遷移時間の制御）、ＤＡＣ１０４Ｂ−ＲＸＡＭＰ（ＲＸＩＮ＋／−の振幅の制御）、ＤＡＣ１０４Ｃ−ＬＯＳＨＹＳＴ（ＲＸＩＮ＋の信号消失のヒステリシス）、ＤＡＣ１０４Ｄ−ＬＯＳＴＨ（ＲＸＩＮ−の信号消失の閾値）、ＤＡＣ１０４Ｅ−ＴＸＲＴ（ＴＸＯＵＴ＋／−の遷移時間の制御）、ＤＡＣ１０４Ｆ−ＴＸＡＭＰ（ＴＸＯＵＴ＋／−の振幅の制御）。上記に加えて、基準電圧信号ＶＲＥＦによって、ＴＯＳＡ３００Ａに対する電力入力ＬＤＩを制御するために、電源回路１０６と通信するＤＡＣ１０４Ｇが提供されている。更に、ＴＸＯＵＴ＋／−及びＲＸＯＵＴ＋／−の各極性を制御することに一般に関連したＤＡＣ１０４Ｈ及びＤＡＣ１０４Ｉも提供されている。特定の実施形態においては、ＬＤＩに関する情報を提供するフィードバック・ループ又は回路が提供されている。
【００４８】
図２の参照を続けると、各ＤＡＣと通信する種々のアンプ、例えば、ラジオ周波数（ｒａｄｉｏ  ｆｒｅｑｕｅｎｃｙ，「ＲＦ」）アンプが提供され、一般に、ＰＡ／ＬＤ１００により受信されるデジタルＩＣコントローラ２００からの制御信号により特定される作用を実行するように動作する。例えば、ＰＡ／ＬＤ１００の例示の実施形態には、ＤＡＣ１０４Ａ，１０４Ｂ，１０４Ｉからのアナログ入力を受信し、かつそのような入力に従ってＲＸＩＮ＋／−を変更して、ＲＸＯＵＴ＋／−を生成するＲＸアンプ１０８が含まれている。例示の実施形態では、ＲＸアンプ１０８は、ＲＸＩＮ＋／−の遷移時間、振幅、及び極性を変更するように構成されている。
【００４９】
更に、例示のＲＸアンプ１０８はフィードバック・ネットワークをバイパスする際に使用するためのＣＺ＋／−ポートを備えるように構成されており、それらはＲＸアンプ１０８をバイアスするのに使用され得る。この例示の装置において、ＣＺ＋／−ポートの間には大型の外部キャパシタが配置されている。しかしながら、他の実施形態では、外部キャパシタを必要とせずに、それゆえＣＺ＋／−ポートを必要とせずに、そのようなバイアスが達成される。
【００５０】
加えて、ＲＸＩＮ＋／−を監視して、ＲＸＩＮ＋／−が所定の閾値を上回った、若しくは下回った時に、ＬＯＳ信号をデジタルＩＣコントローラ２００に送信するＬＯＳ回路１１０も提供されており、それは典型的にはアンプとして具体化されている。また、ＬＯＳ回路１１０は、受信信号の強度の微小な変動、即ち、多くの場合、チャター（ｃｈａｔｔｅｒ）と称されるノイズによって通常引き起こされるＬＯＳ信号のランダムなスイッチングを最小化する、若しくは、排除するヒステリシス機能を実行する。ヒステリシス機能がなければ、ノイズにより、ＲＸＩＮ＋／−はその所定の閾値を上下変動するだろう。
【００５１】
ＰＡ／ＬＤ１００の例示の実施形態はさらに、ＤＡＣ１０４Ｅ，１０４Ｆ，１０４Ｈからのアナログ入力を受信し、かつそのような入力に従ってＴＸＩＮ＋／−を変更して、ＴＸＯＵＴ＋／−を生成するＴＸアンプ１１２が含まれている。例示の実施形態では、ＴＸアンプ１１２は、ＴＸＩＮ＋／−の遷移時間、振幅、及び極性を変更するように構成されている。特定の実施形態では、ＴＸアンプ１１２は、複数のアンプにより具体化され得るものであり、その複数のアンプのそれぞれは、ＴＸＩＮ＋／−信号の遷移時間、振幅、及び極性のうちの一つの制御に関連する。更なる他の実施形態においては、ＴＸアンプ１１２は、単一のマルチステージ・アンプとして具体化されていても構わない。それによって、ＴＸＩＮ＋／−信号に関連する上記制御機能の全ては、単一の部品により具体化される。上記説明はＲＸアンプ１０８にも同様に関連することに注意されたい。
【００５２】
上記例示の実施形態は、特に、データ信号の極性の制御に関するものであるが、特定の例において、他の信号の極性も同様に制御することが可能であることは有用である。例として、特定の実施形態において、ＬＯＳ信号及びＴＸＤ信号の極性の制御が、追加として、若しくは、代替として提供される。結果として、上記例により示唆されるように、本発明の実施形態を、極性の制御がデータ信号に適用されるのみであるように制限することによって構成するべきではない。
【００５３】
最後に、信号の極性の制御はまた、アナログ制御信号により制御されるように、アナログデータ又は他の信号に関して実行されても構わないことに注意されたい。この種の例示の実施形態では、デジタル制御インターフェイスは不要であり、それに代わり適切なアナログ制御インターフェイスが使用され得る。
【００５４】
以下に、図３に注目すると、ＲＸアンプ１０８及びＴＸアンプ１１２として典型的には具体化されている、データ信号の極性を制御するための制御デバイスに関する更なる詳細が提供されている。図３に示唆されているように、同様な一般的な構成は、ＲＸアンプ１０８及びＴＸアンプ１１２において使用され得る。しかしながら、ＲＸアンプ１０８を具体化するのか、ＴＸアンプ１１２を具体化するのかに応じて、そのような構成を具体化するために使用される部品は変更され得る。例えば、ＲＸアンプ１０８の場合は、相対的に高い利得が要求されるため、相対的に多数のゲイン・ステージが利用され得る。他方、ＴＸアンプ１１２の場合は、ＴＸアンプ１１２が負荷に対し要求される電流を供給する必要に応じて、相対的に大型の大電流トランジスタが使用され得る。
【００５５】
典型的には、ＴＸアンプ１０８は、極性インバータ１０８Ａ、並びに、二つの出力ステージ１０８Ｂ及び１０８Ｃを含んでいる。同様に、ＲＸアンプ１１２は、極性インバータ１１２Ａ、並びに、二つの出力ステージ１１２Ｂ及び１１２Ｃを含んでいる。ＴＸアンプ１０８及びＲＸアンプ１１２の少なくとも特定の実施形態においては、さらに、入力ステージ（図示略）が同様に含まれており、追加の出力ステージが含まれていても構わない。しかしながら、上記のアンプの構成は例示の目的のみである。この点に関して、本明細書において先に注記したように、本発明の特定の実施形態において、図３に示すマルチステージ・アンプの代わりに、複数のシングルステージ・アンプを使用しても構わない。次いで、一般に、本明細書に開示の機能を実行するのに有用な任意のアンプ又は制御デバイアスの構成が使用されても構わない。
【００５６】
ＴＸアンプ１０８及びＲＸアンプ１１２の例示の各実施形態は、三つの制御入力を備えるように構成されているが、種々の他の制御入力及びその組み合わせが使用されていても構わない。先に説明したように、ＴＸアンプ１０８は、極性インバータ１０８ＡにおいてＴＸＰＯＬ信号を受信し、出力ステージ１０８Ｂ及び出力ステージ１０８Ｃにおいて、ＴＸＲＴ信号及びＴＸＡＭＰ信号をそれぞれ受信するように構成されている。同様に、ＲＸアンプ１１２は、極性インバータ１１２ＡにおいてＲＸＰＯＬ信号を受信し、出力ステージ１１２Ｂ及び出力ステージ１１２Ｃにおいて、ＲＸＲＳＴ信号及びＲＸＡＭＰ信号をそれぞれ受信するように構成されている。
【００５７】
以下により詳細に説明するように、ＴＸアンプ１０８は、ＴＸＰＯＬ信号、ＴＸＲＴ信号、及びＴＸＡＭＰ信号を使用して、所望の性質を有する出力信号ＴＸＯＵＴ＋／−を生成する。同様に、ＲＸアンプ１１２は、ＲＸＰＯＬ信号、ＲＸＲＳＴ信号、及びＲＸＡＭＰ信号を使用して、所望の性質を有する出力信号ＲＸＯＵＴ＋／−を生成する
本明細書に開示の種々の型のアンプ及びその組み合わせ、並びにそれらの個別の機能は、例示の目的のみであることに注意されたい。制御システム及びデバイスの種々の他の型を代替して使用しても構わない。上記に関連して、ＰＡ／ＬＤ１００により実行される機能の組み合わせも同様に例示の目的のみであり、本発明の範囲を何ら制限する意図はない。従って、特定のシステム又は用途の要求に応じて、追加の、若しくは代替の機能、及びその組み合わせが、ＰＡ／ＬＤ１００により実行されても構わない。
【００５８】
Ｃ．ＰＡ／ＬＤの動作の一般的な態様
図１から図３への注目を続けながら、以下、図４から図６に注目すると、ＰＡ／ＬＤ１００及び種々の関連部品の例示の実施形態における特定の動作の態様に関する詳細が以下に提供されている。最初に、図４に注目すると、入力制御信号の受信及び処理のための例示の方法４００の態様が示されている。
【００５９】
特に、状況４０２において、最初にデジタルＩＣコントローラ２００から送信された制御信号がＰＡ／ＬＤ１００において受信される。典型的には、そのような信号は、特に、ＴＸＩＮ＋／−及びＲＸＩＮ＋／−の処理、ＴＯＳＡ３００Ａの動作、並びに、ＰＡ／ＬＤ１００の無効化に関連している。デジタルＩＣコントローラ２００により送信された制御信号のうちの一部は、ＰＡ／ＬＤ１００のデジタル制御インターフェイス１０２において受信され、一方、デジタルＩＣコントローラ２００により送信された他の制御信号、例えばＴＸＤ信号は、グルー論理モジュール１０３において直接に受信される。しかしながら、この配置は例示の目的のみであり、ＰＡ／ＬＤ１００における入力制御信号の受信のための種々の別の方式も実行され得る。
【００６０】
一般に、デジタルＩＣコントローラ２００により送信され、かつＰＡ／ＬＤ１００において受信された制御信号は、所定のデジタルビット列から構成されているデジタル・ワードを一つ若しくは複数を含んでおり、それらは命令及び／又はパラメータ値を構成している。制御信号がＰＡ／ＬＤ１００において受信された時、状況４０４に移行し、そこでは、グルー論理モジュール１０３がその制御信号を分析し、そのデジタル・ワード又はその一部を種々の区分された命令及び／又はパラメータ値として管理する。
【００６１】
分析が完了した後、状況４０６に移行する。この状況において、グルー論理モジュール１０３は、データ信号の分析されたセグメントをグルー論理モジュール内の適切なレジスタに方向づける。各レジスタは特定のＤＡＣに対応するため、従って、そのデータ信号の分析されたセグメントを、特定のセグメントが使用されるような方法と調和するように記録することが可能である。例として、ＬＯＳ信号の閾値に関連する制御信号の分析されたセグメントは、ＬＯＳ回路１１０と通信するように構成されたＤＡＣに記録される。
【００６２】
入力制御信号が分析され、記録された時、次いで、ＰＡ／ＬＤ１００は、分析された命令及び／又は値に基づいて、種々の動作を実行する。このように、多様なＰＡ／ＬＤ１００の動作に関する制御情報が、単一の制御信号により送信可能である。さらに、その制御信号は、ＰＡ／ＬＤ１００において単一のデジタルインターフェースを必要とするのみである。この配置により、入力制御信号の処理のみならず、ＰＡ／ＬＤ１００の物理的実装も著しく簡略化される。
【００６３】
以下、図５に注目すると、一つ若しくは複数の制御信号に基づいて、動作を実行するための例示のプロセス５００の態様に関する詳細が提供されている。以下に説明するように、図５は、そのような例示のプロセスの一般的態様を示すのみであって、より詳細な実施形態は、図５に示すプロセスの態様を説明した後に、言及される。
【００６４】
一般に、状況５０２に移行すると、グルー論理モジュール１０３は、種々のレジスタに記録された命令及び／又は値にアクセスし、それらを読み出す。次いで、状況５０４に移行すると、適用されるＤＡＣがそのアクセスされた命令及び／又は値をデジタルからアナログ方式に変換する。この変換が完了した後、状況５０６に移行し、適用されるＤＡＣは対応するアナログ信号を生成し、適切なアンプに送信する。状況５０８において、その適切なアンプはアナログ信号を受信し、次いで、状況５１０に移行し、そのようなアンプの信号に関する種々の動作が実行される。
【００６５】
Ｄ．例示のＰＡ／ＬＤの動作の態様−ＴＸアンプ及びＴＯＳＡ
以下に、入力加入者データ信号ＴＸＩＮ＋／−（図２）をより詳細に参照すると、ＤＡＣ１０４Ｅ，１０４Ｆ，１０４Ｈはそれぞれ、ＴＸＩＮ＋／−の遷移時間、ＴＸＩＮ＋／−の振幅、ＴＸＩＮ＋／−の極性に関連するワード、又はその一部をアナログ形式に変換し、次いで、そのアナログ信号ＴＸＲＴ，ＴＸＡＭＰ，ＴＸＰＯＬを、規定どおりに、若しくは該当する場合に、ＴＸアンプ１１２に送信する。
【００６６】
それに応答して、結果、ＴＸアンプ１１２は、ＴＸＩＮ＋／−の遷移時間、振幅、及び／又は極性を、ＴＸＲＴ，ＴＸＡＭＰ，及びＴＸＰＯＬ信号に適合するように調整し、必要に応じて、信号ＴＸＩＮ＋／−をＶＣＳＥＬ３０２を駆動するのに適合した信号ＴＸＯＵＴ＋／−に変換する。次いで、ＴＸＯＵＴ＋／−信号は、ＰＡ／ＬＤ１００により、ＴＯＳＡ３００ＢのＶＣＳＥＬ３０２Ａに送信される。もちろん、ＴＸＲＴ，ＴＸＡＭＰ，及びＴＸＰＯＬ信号の組み合わせの使用するこの動作シナリオは、例示の目的のみであり、ＴＸＩＮ＋／−の種々の他のパラメータ、及びその組み合わせが同様に監視され、かつ／若しくは、制御されても構わない。
【００６７】
図１及び図２への注目を続けると、ＴＯＳＡ３００Ａの例示の動作の態様に関する詳細が提供されている。例示の実施形態において、ＴＯＳＡ３００Ａは、ＴＸＯＵＴ＋／−信号を受信し、次いで、ＶＣＳＥＬ３０２Ａは、その受信されたＴＸＯＵＴ＋／−に適合した光学信号（図示略）を送信する。このように、ＶＣＳＥＬ３０２Ａの性能を、温度、電圧、及びその他の変数に応じて、調整すること、並びに制御することが可能であり、それによって、所望の特定の性質又は特性を有する光学信号の送信が達成される。
【００６８】
ＶＣＳＥＬ３０２Ａによる光学信号の送信と実質的に同時に、フォトダイオード３０４Ａは、ＶＣＳＥＬ３０２Ａにより送信された光学信号の少なくとも一部を受信する。最後に、フォトダイオード３０４Ａは、ＴＯＳＡ３００Ａの光の強度を示すＴＸＰ信号を生成し、デジタルＩＣコントローラ２００に送信する。この例示の実施形態において、ＴＸＰ信号は、主にＴＯＳＡ３００Ａの性能に関する監視機能を支援する役割を果たす。ＴＸＰ信号に加えて、フォトダイオード３０４Ａはまた、ＴＸＩ信号を生成し、送信する。以下にさらに詳細に説明するように、この例示の実施形態において、ＴＸＩ信号は、電源回路１０６を介した、ＴＯＳＡ３００Ａの動作の制御を支援するのに使用される。
【００６９】
一般に、電源回路１０６は、ＴＸＩ信号を、ＶＲＥＦ信号と連動して使用し、必要に応じて、ＶＣＳＥＬ３０２Ａに対する入力電流を変更する。先に説明したように、ＴＸＩはＴＯＳＡ３００Ａにより生成され、動作中のＴＯＳＡ３００Ａにおける電流のレベル表す。他方、ＶＲＥＦ信号はＶＣＳＥＬ３０２Ａの所望のバイアス点を表す。一般的に、基準信号電圧と表記されるＶＲＥＦ信号の値は、デジタルＩＣコントローラ２００により決定され、制御信号の一部として、ＰＡ／ＬＤ１００に送信される。グルー論理モジュール１０３は、ＤＡＣ１０４Ｇと連動して、ＶＲＥＦ信号の生成、及び、電源回路１０６への送信を引き起こす。
【００７０】
このように、ＴＸＩ信号により表される、若しくは、ＴＸＩ信号から抽出される、ＴＯＳＡ３００Ａからのフィードバック電圧が、ＶＲＥＦ基準信号電圧と整合しない場合は、その整合が達成されるまで、電源１０６はＴＯＳＡ３００Ａに対するＬＤＩ入力を調整する。このように、電源回路１０６は、ＴＸＩ信号の形で提供されたフィードバックを、ＶＲＥＦ信号の形で提供された所定の基準電圧と連動させて使用することにより、必要に応じて、ＶＣＳＥＬ３０２Ａに対する入力電力ＬＤＩを、従って、ＴＯＳＡ３００Ａの光の強度を決定して、調整する。先に注記したように、ＴＯＳＡ３００Ａに関する同様の制御機能を提供するのに、ＴＸＩ信号の代わりに、ＴＸＰ信号を利用しても構わない。
【００７１】
ＴＯＳＡ３００Ａの動作の種々の態様の別の例として、ＴＯＳＡ３００Ａの動作を一時停止することが挙げられる。これは、特定の例において、価値のある制御である。システムに関連する特定の条件が満たされた場合、及び／又は特定の事象が発生した場合、一時停止の目的のために、デジタルＩＣコントローラ２００によりＴＸＤ信号が生成され、ＰＡ／ＬＤ１００に送信される。例えば、所定の故障状態が発生した場合に、ＴＸＤ信号は生成され、送信される。ＴＸＤ信号が生成され、送信された場合、ＰＡ／ＬＤ１００はＴＸＤ信号に応答して、ＴＯＳＡ３００Ａに対するＬＤＩ信号の送信を停止する。従って、ＴＸＤ信号の受信に基づき、ＴＯＳＡ３００Ａによるデータ送信は中断される。次いで、ＰＤ／ＬＤ１００が、デジタル制御インターフェイス１０２の有効なピンを介して、適切な信号を受信すると、データ送信は再開される。
【００７２】
Ｅ．例示のＰＡ／ＬＤの動作の態様−ＲＸアンプ及びＬＯＳアンプ、並びにＲＯＳＡ
デジタルＩＣコントローラ又は他のソースから受信した一つ若しくは複数の制御信号に基づいて、種々の光学デバイスに関する動作を実行するために、例えばアンプのような制御デバイスを使用する典型的なプロセス５００の特定の一般的態様は、既に、図５に関連して前述したことに注意されたい。従って、以下の説明は、ＲＸアンプ１０８、ＬＯＳ回路１１０、及び／又はＲＯＳＡ３００Ｂの動作に関連したプロセス５００の特定の例示の実施形態に主に焦点をあてる。
【００７３】
第一に、ＲＯＳＡ３００Ｂについて述べると、先に注記したように、ＲＯＳＡ３００Ｂは、フォトダイオード３０２Ｂにおいて受信した光学入力信号を電気信号ＲＸＩＮ＋／−に変換する。その電気信号は、次いで、ＰＡ／ＬＤ１００に受信される。一般に、ＰＡ／ＬＤ１００は、デジタルＩＣコントローラ２００から受信した制御信号に従って、ＲＸＩＮ＋／−信号の種々の態様を制御する。次いで、改良されたＲＸＩＮ＋／−信号が、ＲＸＯＵＴ＋／−信号として、ＰＡ／ＬＤ１００により加入者に送信される。
【００７４】
ＲＯＳＡ３００Ｂにより生成されるＲＸＩＮ＋／−信号に関する種々の動作を実行するための例示のプロセスの態様は、以下にさらに詳細に検討される。特に、ＤＡＣ１０４Ａ，１０４Ｂ，１０４Ｉはそれぞれ、ＲＸＩＮ＋／−の遷移時間、ＲＸＩＮ＋／−の振幅、ＲＸＩＮ＋／−の極性に関する制御信号のワード、又はその一部をアナログ形式に変換し、次いで、そのアナログ信号ＲＸＲＴ，ＲＸＡＭＰ，及び／又はＲＸＰＯＬをＲＸアンプ１０８に送信する。次いで、ＲＸアンプ１０８は、必要に応じて、ＲＸＩＮ＋／−の遷移時間、振幅、及び／又は極性のそれぞれを、受信したＲＸＲＴ，ＲＸＡＭＰ，及び／又はＲＸＰＯＬ信号に適合するように調整する。改良されたＲＸＩＮ＋／−信号は、出力信号ＲＸＯＵＴ＋／−と表記され、次いで、ＰＡ／ＬＤ１００によって、加入者に送信される。ＲＸＩＮ＋／−信号についてのプロセスに関する前記の動作シナリオは例示の目的のみであり、ＲＸＩＮ＋／−の種々の他のパラメータが同様に監視され、かつ／若しくは制御されても構わないことに注意されたい。
【００７５】
ＲＯＳＡ３００Ｂは、上記のＲＸＩＮ＋／−信号に加えて、フォトダーオード３０２Ｂの光の強度に関するフィードバックをデジタルＩＣコントローラ２００に提供するＲＸＰ信号を生成する。一般に、ＲＯＳＡ３００Ｂの性能、及び／又はＴＯＳＡ３００Ａの性能に関する信号、例えば、ＲＸＰ，ＴＸＰ，及びＴＸＩ信号は、実質的に連続的に、若しくは、任意の他の望ましい基底に基づいて、生成され、送信されてもよい。
【００７６】
ＲＸＩＮ＋／−の種々のパラメータの制御に加えて、ＰＡ／ＬＤ１００の特定の実施形態は、ＲＸＩＮ＋／−の状態の態様を監視し、報告するようにも構成されている。一つの例示の実施形態においては、ＤＡＣ１０４Ｃ及びＤＡＣ１０４Ｄはそれぞれ、デジタルＩＣコントローラ２００から、ワード又はその一部として受信したヒステリシス及び閾値のデータをアナログ形式に変換し、次いで、ＬＯＳＨＹＳＴ及びＬＯＳＴＨ信号をＬＯＳ回路１１０に送信する。次いで、ＬＯＳ回路１１０は、ＲＸＩＮ＋／−を監視し、ＲＸＩＮ＋／−が所定の閾値を超過するか、若しくは下回った場合に、かつ／若しくは、ＲＸＩＮ＋／−信号にいかなるデータも検出されなかった場合に、デジタルＩＣコントローラ２００にＬＯＳ信号を送信する。
【００７７】
最後に、ＬＯＳ回路１１０はまた、ＬＯＳ信号におけるチャターを最小化する、若しくは、排除するヒステリシス機能を実行する。ヒステリシス機能がなければ、チャターにより、ＲＸＩＮ＋／−はその所定の閾値を上下変動するだろう。特に、ＲＸＩＮ＋／−が所定の閾値を下回るように変動した場合は、ＬＯＳ信号が生成され、かつ送信される前に、実際にその閾値を下回らなければならない。同様なことは、ＲＸＩＮ＋／−が所定の閾値を上回るように変動した場合にも当てはまる。上限及び／又は下限の閾値は、特定の用途の要求に適合するように定義されていればよい。本発明の特定の実施形態では、そのような信号消失の機能はまた、加入者信号ＲＸＩＮ＋／−に関して実行されても構わない。
【００７８】
Ｆ．例示の信号極性の制御の態様−ＲＸアンプ及びＴＸアンプ
先に注記したように、ＲＸアンプ１０８及びＴＸアンプ１１２によって実行される機能の中には、それぞれ出力データ信号ＲＸＯＵＴ＋／−及びＴＸＯＵＴ＋／−の極性を制御することが含まれる。
【００７９】
従って、本発明の実施形態により提供されるデータ信号の極性の制御機能の一つの態様は、それにより、ＰＡ／ＬＤ１００及び関連システムを備える部品の設計及び具体化の際に、相対的に高い柔軟性が認められることである。特に、ＰＡ／ＬＤ１００において受信されたデータ信号の極性を、その信号がさらに送信される前に、制御信号に応答して容易に変更することが可能である。それゆえ、ＰＡ／ＬＤに入射したデータ信号が不適切に偏極されていることは、その極性はＰＡ／ＬＤ１００がそのデータ信号を次のユーザに送信する前に修正可能であるために、重要ではない。
【００８０】
さらに、デジタル制御インターフェイスを使用することによって、データ信号の極性の制御は容易に実行可能である。特に、デジタル制御インターフェイスは、複数の制御パラメータを表し、かつ一つ若しくは二、三の制御信号に多重化されたデータを使用するのに適合している。このように、信号の極性の制御は、容易に、かつその制御信号に多重化可能な他の制御パラメータの数及び種類について妥協することなく具体化することが可能である。
【００８１】
そのような出力データ信号の極性の制御は、種々の方法で達成され得る。以下では、特定の例示の実施形態が検討されるが、他のプロセス及び方法も代替して使用され得る。
例えば、ＴＸＰＯＬ信号を使用する場合に関しては、出力データ信号ＴＸＯＵＴ＋／−の極性は、ＴＸＩＮ＋及びＴＸＩＮ−の伝播経路を電気的に交差させることにより、変更される。これにより、ＴＸＯＵＴ＋信号による、交差させない場合はＴＸＯＵＴ−信号が伝播する経路に沿って伝播、及びその逆の伝播が引き起こされる。上記偏極の調整の方式は、ＲＸＰＯＬ信号に応答して、ＲＸアンプ１０８によって成されるＲＸＯＵＴ＋／−に対するデータ信号の極性の調整の場合も同様である。
【００８２】
別の場合、信号の反転は、正の利得のブロックを負の利得のブロックに、若しくはその逆に再プログラムすることによって達成することが可能である。別の例としては、正の利得のブロック又は負の利得のブロックのいずれかを通過するように、データの経路をプログラムすることが可能である。しかしながら、さらに一般に、二つのデータ経路の間の検出される差が適当に有意であるように、そのデータ経路間の関係を、規定どおりに改良する、かつ／若しくは維持するのに有効な任意のデバイス及び／又はプロセス、或いはそれらの組み合わせが使用されても構わない。
【００８３】
先に示唆したように、本明細書に開示のアンプ又は他の制御デバイスの機能を実行するのに多様な手段が使用されてもよい。このように、本明細書に開示のアンプの実施形態は、信号の極性を制御するための手段の例示の構造の実施形態であるが、そのような例示の実施形態は、何ら本発明の範囲の制限を構成している訳ではない。寧ろ、本明細書に開示の機能を実行するのに有効な任意の他の構造又は構造の組み合わせが同様に使用され得る。
【００８４】
Ｇ．プログラム可能な送受信機の一般的な態様
前述したように、ＰＡ／ＬＤ、より広い意味での関連送受信機の動作の種々の態様を制御することが可能であるということは、環境条件及び動作条件の変化に適応するために、かつ、その関連送受信機、システム、及びデバイスの全体動作の柔軟性を向上させるために、有用である。従って、本発明の少なくとも特定の実施形態は、その性能及び動作の態様に関する変更を直ちに実行することが可能であるように構成されている。
【００８５】
より詳細には、本発明の例示の実施形態は、プログラム可能な送受信機及び他のデバイスを対象としている。それらの送受信機又はデバイスは、所望の方法で動作するように、ユーザがそれらをプログラムし、再プログラムすることが可能であるように構成されている。以下により詳細に説明するように、本明細書においてプログラム可能なデバイスを引用することは、一般に、信号パラメータのプログラム命令を受信し、記憶し、処理し、実行し、かつ／若しくは変更するそのようなデバイスの機能を引用することを意味する。本発明の例示の実施形態は、さらに、若しくは代わりに、送受信機又はデバイスが動作モードにある間、その送受信機又はデバイスの性能及び動作の調整が、「オン−ザ−フライ」に実行可能であるように構成されている。
【００８６】
本明細書において先に説明したフィードバック及び制御の態様に関連した前記機能の一つ、若しくは両方を実行することは、本送受信機の例示の実施形態は、プロトコルの変更、回線速度の変更、動作要求及び動作条件の変化、及び送受信機の動作及び性能に何らかの形で関係又は関連する他の検討材料により例示される動的な動作環境に、直ちに適合することが可能であることを意味する。前記フィードバック及び制御の態様をさらに一般的に参照すると、本発明の例示の実施形態は、フィードバックシステムを備えるように構成されており、それによって、特定のシステム、デバイス、又は部品の性能が容易に再プログラム可能な所定の範囲内に保持されることが保証される。
【００８７】
以下、プログラム可能な送受信機の例示の実施形態の種々の一般的態様に注目する。上記において示唆したように、本送受信機は、特定の動作及び性能の結果を得るために、種々の時間において、種々の方法によりプログラムされ得る。例えば、ＰＡ／ＬＤによって、若しくは、ＰＡ／ＬＤに関連して有効にされた、かつ／若しくは、無効にされた信号の種々のパラメータを、適切なプログラミングによって、特定し、かつ／若しくは改良することは、多くの場合、有用である。そのような信号には、データ信号、監視信号、電力信号、及び制御信号が含まれるが、それらに制限される訳ではない。
【００８８】
本発明の実施形態に関連するプログラム可能な信号パラメータは、仮想的に無制限である。プログラム可能な信号パラメータの例には、信号の立ち上がり時間、信号の極性、信号の振幅、及び信号の立ち下り時間が含まれるが、それらに制限される訳ではない。信号に関する他の態様は、そのような信号の有効及び無効の閾値（信号の「トリップ・レベル」と称されることもある）も同様にプログラムされ得ることである。
【００８９】
先に示唆したように、本発明の例示の実施形態は、例えば、極性、振幅のような実際の信号の種々の特徴をプログラミングすること、並びに、例えば、信号の有効、無効の閾値のように信号を特定する特徴には含まれないけれども、何らかの形で信号に関連する信号の態様をプログラミングすること、のいずれにも関係する。そのような信号の特徴、並びに信号の態様を、本明細書においては、まとめて、「信号パラメータ」と参照する。
【００９０】
種々の要素が、一つ若しくは複数の信号パラメータをプログラムする必要性、及び／又は再プログラムする必要性に影響を与え得る。例として、送受信機を使用する際に接続するシステムの回線速度の変更、例えば、２ギガビット／秒の速度から１０ギガビット／秒の速度への変更は、送受信機の光学受信機に入射する強度のレベルの変化に関係する。この例では、そのような入射強度の変化は、特に、ＬＯＳの有効、無効の閾値の再プログラミングを必然的に伴う。これらの変更は、例えば、第一回線速度を有するシステムから送受信機を取り外し、それとは異なる第二回線速度を有するシステムに送受信機をインストールすることが好ましい場合において、必然的に伴うものである。
【００９１】
他の要素もまた、一つ若しくは複数の信号パラメータの再プログラミングを必然的に伴う。例えば、システムがアップグレードされた場合、若しくは、送受信機が一つのシステムから取り外され、別のシステムにインストールされた場合に発生し得るシステムプロトコルの変更は、任意の数の信号パラメータに対して変更を促す。
【００９２】
同様に、環境条件は、信号パラメータの再プログラミングが必要であるか否かを判断するのに、重要な役割を果たす。例えば、システム及び／又は送受信機の動作温度の変化は、特定の信号の立ち上がり、立ち下がり時間を再プログラムする必要性に多くの場合関連する。
【００９３】
一つの特定の例を参照すると、電源回路（図１及び図２を参照）に対するＶＲＥＦ入力の温度補償を提供することが多くの場合望ましい。特定の実施形態において、そのような補償は、送受信機に付随した適当な温度センサから受信した入力に関連して実行される。この例では、システム、ＴＯＳＡ３００Ａ、或いは他の構成要素、部品、又はデバイスの温度が所定の温度幅内に収まっている場合は、ＴＯＳＡ３００Ａに伝送される電力の増加を引き起こすように、特定のＶＲＥＦはプログラムされている。
【００９４】
上記は、送受信機、並びに、関連システム及びデバイスに関する信号の一つ若しくは複数のパラメータをプログラミングすること、かつ／若しくは再プログラミングすることに関係し得る要素の包括的なリストを意図したものでもなければ、包括的なリストそのものでもないことに注意されたい。寧ろ、前記要素は、単に、送受信機をプログラムすることの望ましさ及び必要性に関係し得る状況及び条件を例示するのに役立つ。
【００９５】
上記において示唆したように、本発明の例示の実施形態の一つの態様は、それらが、送受信機を即座にプログラミングし、かつ／若しくは再プログラミングすることを可能にすることであり、それによって、種々の信号パラメータは変更され、必然的に、回線速度及びプロトコルの変更のような要素に、並びに、温度のような環境要素に適合することが可能になる。より詳細には、本発明の例示の実施形態は、少なくとも二つの異なるプログラミングモードを有効にするように構成されている。それらは、共に使用されても、個別に使用されてもよい。
【００９６】
第一プログラミングモードにおいて、ユーザは、特定の信号パラメータの値を指定することによって、特定の用途又は状況の要求に合致するように送受信機の性能及び動作をカスタマイズすることが可能である。そのようなパラメータの一つ若しくは複数において変更が必要となった場合、ユーザは、それに応じて、送受信機を単に再プログラムすることが可能である。
【００９７】
本発明の例示の実施形態によって、さらに、若しくは代わりに使用される第二プログラミングモードは、システムプロトコル、回線速度、動作要求、動作条件、並びに、システム又はデバイスの動作及び性能に関係する他の検討材料に応答して、自動的に、一つ若しくは複数の信号パラメータが変更若しくは調整されるような「オン−ザ−フライ」プログラミングモードである。このプログラミングモードにおいては、デバイスの初期プログラミングを除いて、いかなるユーザ入力も必要とされない。このプログラミングモードの特定の実施形態においては、二つ若しくは三つ以上の信号パラメータの間に関係が確立され、その確立された関係によって、一つのパラメータが再プログラミングされた場合、他のパラメータも同様に自動的に再プログラムされ得る。
【００９８】
送受信機のプログラミングにおいて、種々の技術が利用され得る。上記第一プログラミングモードを参照すると、そのようなプログラミングは、適切なプロセッサ及びソフトウェアを伴い、Ｉ２Ｃバス２０４及びデジタルＩＣコントローラ２００の適切なＤＡＣ（図１参照）によって、典型的に具体化されるが、他の方法によっても同様に具体化され得る。特定の実施形態において、プロセッサは送受信機の構成要素を構成しているが、他の場合は、プロセッサは送受信機の外部に位置していても構わない。
【００９９】
「オン−ザ−フライ」又は動的なプログラミングに関連して、種々のデバイス及び技術がこの目的のために使用され得る。例えば、本送受信機の特定の例示の実施形態は、温度、回線速度、システムプロトコル等のような一つ若しくは複数の所定のシステムの特徴及び性能を監視し、それに応じて、対応するＤＡＣ、並びに／又は他のシステム及びデバイスと連動して動作し、自動的に、もう一つの指定の信号の所定パラメータを変更するようなアルゴリズムによりプログラムされている。このように、本発明の種々の実施形態において、特定の結果を得るための要求に従い、ＤＡＣはプログラムされているか、動的に制御されているか、その両方をされている。典型的には、プログラミングにおける任意のそのような変更は記録され、かつ／若しくはシステム管理者による追跡及び評価のためのコンピュータ又は他の監視デバイスに伝送される。このようにアルゴリズムの監視により、システム管理者はアルゴリズムに対して要求される変更を特定することが可能である。
【０１００】
少なくとも特定の前記アルゴリズムは、定期的にコンサルトされるか、若しくは必要に応じた基準に基づいた参照テーブルのような特徴であって、アルゴリズムによる実行のための信号パラメータの値を提供する参照テーブルのような特徴を含むか若しくは利用している。本発明の特定の実施形態において、そのアルゴリズムは、アルゴリズムに入力を提供する温度検出器及びプロトコル検出器回路のようなハードウェアと連動して動作し、その入力は次いで、信号パラメータの変更が必要か否かの決定に使用される。もちろん、上記は例示の実施形態に過ぎず、ハードウェア及びソフトウェアの種々の他の組み合わせも同様に、送受信機の動的な制御に関連して使用され得る。
【０１０１】
Ｈ．例示のプログラム可能な信号パラメータ
上述したように、ＰＡ／ＬＤ及び関連送受信機に関する種々の信号パラメータを調整することは望ましい。ＬＯＳアンプにより生成されるＬＯＳ信号の有効、無効の閾値は、正に、そのような信号パラメータの一例を構成している。再び図２、加えて図６に注目すると、本発明の例示の実施形態に関して、特に、プログラム可能なＲＸＩＮ＋／−のＬＯＳトリップ・レベルを規定する詳細が提供されている。一般に、プログラム可能なＬＯＳトリップ・レベルにより、デバイスは、システム条件、プロトコル、及び回線速度の変更に直ちに適合することが可能であり、それと同時に、トリップ条件の幅を相対的により狭くすることが可能であり、従って、プログラム可能なデバイスの感度及び性能は相対的に向上する。
【０１０２】
以下、特に図６に注目すると、ＲＸＩＮ＋／−のＬＯＳの閾値のプログラミングを可能にするように構成されたデバイスの種々の態様を示す回路図が提供されている。ここで、説明の便宜のために、図６におけるデジタルＩＣコントローラ２００及びＰＡ／ＬＤ１００の例示の実施形態は、一部簡略形で示されており、それらの部品の例示の実施形態に関するさらなる詳細は、図１及び図２を参照することにより得ることが可能であることに注意されたい。さらに、図６におけるＬＯＳ回路１１０はＰＡ／ＬＤ１００から分離して示されているが、図２に示したような実施形態では、ＬＯＳ回路１１０も同様にＰＡ／ＬＤ１００の一部を構成している。最後に、ＰＡ／ＬＤの少なくとも特定の実施形態は、信号パラメータのプログラミング及び再プログラミングに関連して使用されるアルゴリズム、並びに他の構成要素及び命令の記憶を可能にするメモリ１１３を含んでいる。他の場合、メモリ１１３はＰＣＢＡ（図１）上のどこかに備わっていても、デジタルＩＣコントローラ２００内において具体化されていても構わない。
【０１０３】
図６に示すように、フォトダイオード３０２Ｂ及びトランスインピーダンス・アンプ３０４Ｂがネットワークからの光学データ信号を受信するように構成されている。トランスインピーダンス・アンプ３０４Ｂからの出力としてのＲＸＩＮ＋及びＲＸＩＮ−において使用されている＋／−表示は、少なくとも特定の実施形態においては、信号チャンネルが反対の極性の二つのデータ送信線から成るという事実を反映している。いずれにせよ、ＲＸＩＮ＋及びＲＸＩＮ−信号はＰＡ／ＬＤ１００に送信される。
【０１０４】
さらに、データチャンネルＲＸＩＮ＋及びＲＸＩＮ−に接触するように構成された信号強度検出器１１４が提供されている。図６にさらに示すように、信号強度検出器１１４は、ＬＯＳ回路１１０と通信しており、続いて、ＬＯＳ回路１１０は、ＤＡＣ１０４Ｊからの入力を受信し、デジタルＩＣコントローラ１００に出力を送信するように構成されている。一つの例示の実施形態において、信号強度検出器１１４は、一つ若しくは複数のマルチソース・アグリーメント（Ｍｕｌｔｉｓｏｕｒｃｅ  Ａｇｒｅｅｍｅｎｔ，「ＭＳＡ」）に適合しており、外部のプルアップ抵抗を必要とする有線のＯＲ、シングルエンドの、オープン・ドレインの相補型金属酸化物半導体（ｃｏｍｐｌｅｍｅｎｔａｒｙ  ｍｅｔａｌ  ｏｘｉｄｅ  ｓｅｍｉｃｏｎｄｕｃｔｏｒ，「ＣＭＯＳ」）に適合した出力を備えている。この信号強度検出器の具体化は、フォトダイオード３０２Ｂに入射した光の入力の強度が十分な場合、「ハイ（Ｈｉｇｈ）」出力が生成されるように構成されている。逆に、仮に、フォトダイオード３０２Ｂに入射した光の強度が所望の範囲又は閾値を下回る場合は、故障状態が表示され、厳密に「ロー（ＬＯＷ）」出力が生成される。いずれの場合においても、信号強度検出器１１４の出力は、検出される信号の強度に対応する電圧であって、図６においては、ＶＩＮと表記されている。
【０１０５】
しかしながら、前記は例示の実施形態に過ぎない。より一般に、信号強度検出器１１４は、フォトダイオード３０２Ｂに入射した光の強度のレベルを決定することが出来る任意のデバイス又は、デバイスの組み合わせを備えることが可能である。
【０１０６】
図６の参照を続けると、デジタルＩＣコントローラ２００は、Ｉ２Ｃバス２０４を含んでおり、上記において示唆したように、Ｉ２Ｃバス２０４は、ＬＯＳの有効、無効の閾値等のような信号パラメータに関するプログラム入力を受信するように構成されている。一般に、そのようなプログラム入力は、ＶＲＥＦと表記される基準電圧という形のＰＡ／ＬＤのＤＡＣ１０４Ｊからの出力をもたらし、その出力は、所望の閾値に対応する。
【０１０７】
動作の間、ネットワークからの光学データ信号が、ＲＯＳＡ３００Ｂのフォトダイオード３０２Ｂにおいて受信され、トランスインピーダンス・アンプ３０４Ｂに移送され、そこで、ＲＸＩＮ＋とＲＸＩＮ−とに分解され、次いで、それらはＰＡ／ＬＤ１００に移送される。信号ＲＸＩＮ＋及びＲＸＩＮ−の強度に関する情報は、同時に、信号強度検出器１１４に移送され、次いで、検出された信号の強度に対応するＶＩＮと表記された電圧を生成する。実質的に同時に、ＤＡＣ１０４Ｊは、プログラムされたＬＯＳの有効、無効の閾値に対応する電圧を表すＶＲＥＦ信号を出力する。一般に、ＬＯＳ回路１１０は、ＤＡＣ１０４Ｊから受信したＶＲＥＦと信号強度検出器１１４から受信したＶＩＮとを比較し、その比較結果に基づいて、対応する動作を実行する。特にＬＯＳの有効、無効の閾値の態様に関するより特定の詳細は、以下に提供される。
【０１０８】
例えば、ＶＲＥＦとＶＩＮとの比較により、ＶＩＮのＶＲＥＦに対する変動が所定の許容範囲内に収まらないことが明らかになった場合、例としては、受信した信号強度が所定のレベルを下回ったことを示していることが明らかになった場合、ＬＯＳ回路１１０はＬＯＳ信号を有効にする。他方、そのような比較の結果として、受信した信号強度が許容範囲内に収まっていることが明らかになった場合、ＬＯＳ信号は有効にされない。第三の場合は、ＬＯＳ信号は有効にされ、その後、信号強度が所定の許容範囲内に再び収まっていることがＬＯＳ回路１１０において判断され、その結果、ＬＯＳ信号が無効にされる場合である。
【０１０９】
図２の説明に関連して、先に注記したように、ＬＯＳ回路１１０はまた、システムのチャターを低減するか、若しくは排除するために、ＬＯＳの有効、無効に関するヒステリシス機能を実行するＬＯＳＨＹＳＴ信号に応答する。しかしながら、本例示の実施形態においては、ＬＯＳ回路１１０に対するＬＯＳＴＨ入力は必要ではない、なぜなら、ＬＯＳ回路１１０は、ＤＡＣ１０４ＪからＶＲＥＦを受信し、ＶＲＥＦをＶＩＮと組み合わせて使用することにより、ＬＯＳが有効に、若しくは、無効にされる時を判断するからである。ＬＯＳの有効、無効に関連して実行されるヒステリシス機能を、他の信号の有効及び／又は送信に関連して同様に実行することは有用である。
【０１１０】
上記において示唆したように、ＬＯＳの有効、無効の閾値のプログラミングはＩ２Ｃバス２０４を介して実行可能である。一つの例示の別の実施形態においては、ＰＡ／ＬＤ１００、デジタルＩＣコントローラ２００、及び／又は関連する光学送受信機の他の部分は、特定のシステム事象又は動作条件の発生により自動的にＬＯＳの有効、無効の閾値を変更する適切なアルゴリズムによりプログラムされている。また他の実施形態においては、Ｉ２Ｃバス２０４を介したプログラム入力、並びに、アルゴリズムに基づいたプログラミングのいずれにも対応する設備が構成されている。従って、本発明の範囲は、プログラム可能な送受信機又は他のデバイスの特定の実施形態によって、なんら制限されることのないように構成されるべきである。
【０１１１】
さらに図６の参照を続けると、プログラム可能なＬＯＳの有効、ＬＯＳの無効の閾値の種々の態様に関するさらなる詳細が提供されている。先に注記したように、ＬＯＳの有効、無効の例示の基準は、フォトダイオード３０２Ｂにおける入射の強度レベルであり、ＬＯＳが有効にされる特定の閾値は、典型的にはＩ２Ｃバス２０４を介して、プログラムされている。これに対して、ＬＯＳの無効の例示の基準は、フォトダイオード３０２Ｂにおける入射の強度レベルであり、同様に、ＬＯＳが無効にされる特定の強度の閾値は、Ｉ２Ｃバス２０４を介して、プログラムされている。典型的にはマイクロ秒の単位で測定されるＬＯＳの有効、無効の応答速度は、一般に、システムの所望の動作パラメータと調和しており、いずれにせよ、システムが効率的かつ効果的に機能することが可能であるようにあるべきである。
【０１１２】
ＬＯＳ信号の有効、無効に関する他の態様も同様に特定される。そのような他の態様には、ＬＯＳの有効、無効の閾値の強度の精度、並びに、有効、無効の閾値の選択可能な範囲が含まれが、それらに制限される訳ではない。典型的には、そのような閾値の範囲は、システムに関連した最大のデータ速度のＲＸＩＮ＋／−の感度を参照して選択され、データストリームのビット誤り率が許容範囲内に収まることを保証する程度であるべきである。最後に、システムは、ＬＯＳ信号の有効、無効の閾値のいずれの分解能も変更することが可能であるように構成されているべきである。本明細書において、先に注記したように、本発明の例示の実施形態の一つの態様は、それらが、多種多様なデータ速度、システムプロトコル、及び他の変数を使用することが出来るように構成されていることである。従って、本発明の少なくとも特定の実施形態は、複数の異なるデータ速度に対して、ＬＯＳの有効、無効の強度範囲を記憶するように構成されている。より一般に、他の信号パラメータに関しても同様なことは当てはまる。
【０１１３】
上記に関連して、本発明の少なくとも特定の実施形態は、デバイスを使用する際に接続するシステムのデータ速度を自動的に検出し、次いで、例えば、参照テーブルから対応する有効、無効の閾値にアクセスし、それによって、検出されたデータ速度に調和したＬＯＳ信号の有効、無効を促進するように、構成されていることにさらに注意されたい。少なくとも特定の場合は、データ速度の検出は、システムの特定のプロトコルを判断し、次いで、そのプロトコル情報から対応するデータ速度を抽出するプロトコル検出回路を介して、間接的に達成される。
【０１１４】
上述したように、本発明の実施形態は、多種多様な信号パラメータをプログラム可能であるように構成されている。一つのそのような例は、上述したように、ＬＯＳ信号の有効、無効の閾値についてのＬＯＳ回路１１０のプログラミングに関するものである。本発明の例示の実施形態は、種々の他の信号パラメータも同様にプログラムすることが可能である。以下に、図１及び図２に対する注目を再開すると、一つのそのような例に関する詳細が提供されている。
【０１１５】
特に、本発明の例示の実施形態は、ＴＯＳＡ３００Ａに対する電力入力ＬＤＩを生成する電源回路１０６のプログラム可能性を有効にする。図１及び図２の先の説明に関連して上記したように、電源回路１０６は、信号ＬＤＩにより表されるＴＯＳＡ３００Ａに対する入力電力を、ＴＸＩフィードバック信号及びＤＡＣ１０４Ｇに接続されて定義され、かつＶＲＥＦと表記される基準電圧を参照することにより、調整する。一般に、ＶＲＥＦは所定の基準電圧を表し、ＴＸＩと比較された時に、ＴＯＳＡ３００Ａに対するＬＤＩの送信の判断を行うのに役立つ。基準信号ＶＲＥＦとフィードバック信号ＴＸＩとの間の差が、例えば、許容レベル以下に減少してしまった場合、フィードバック信号ＴＸＩがＶＲＥＦと共に検討され、電源回路１０６からの電力出力が所定のレベルに達することが示された時まで、電源回路１０６は、電量ＬＤＩを増加させる。
【０１１６】
この例示の実施形態において、電源回路１０６の性能は、上記において示唆したように、異なるＶＲＥＦの値をプログラムすることによって、制御され、若しくは変更される。本明細書において説明した他の例示の実施形態についても同様に、そのようなプログラミングは、デジタルＩＣコントローラ２００のＩ２Ｃバス２０４に対するプログラム入力を介して達成されてもよければ、或いは、代わりに、アルゴリズム又はＰＡ／ＬＤ１００及び／又はデジタルＩＣコントローラ２００の内部コード化された他のプログラミングを介して実行されてもよい。このように、ＶＲＥＦを変更することによって、ＶＲＥＦとＴＸＩとの間の差も同様に変更され、従って、ＴＯＳＡ３００Ａに伝送される電力ＬＤＩの変更にも関係する。例えば、一つ若しくは複数の所定のＶＲＥＦの値をプログラミング又は再プログラミングすることによって実行される電源回路１０６の出力電力ＬＤＩの変更は、種々の有用な含蓄を含んでいる。
【０１１７】
例として、ＰＡ／ＬＤに関連したデータ送信速度の変更は、少なくとも部分的には、ＶＲＥＦのそのようなプログラミングを介して実行可能である。つまり、ＴＯＳＡ３００Ａの出力は、入力電力ＬＤＩの関数として、好ましく調整することが可能である。結果として、ＰＡ／ＬＤ１００の使用の際に、単一のデータ速度又は制限された範囲のデータ速度に関連した制約を必然的に受けることはない。寧ろ、ＰＡ／ＬＤ１００、並びに、より一般には、ＴＯＳＡ３００Ａ，ＲＯＳＡ３００Ｂ，デジタルＩＣコントローラ２００，及びＰＡ／ＬＤ１００をまとめて備えた関連送受信機は、広範囲なデータ送信速度に適合するように、必要に応じて、プログラム及び／又は再プログラムすることが可能である。例として、本発明により、ＯＣ３の送信速度に関連して使用するために初期プログラムされた光学送受信機は、Ｏ１２の送信速度を有するシステムに関連して使用するために直ちに再プログラムすることが可能である。このように、送受信機のプログラム可能性により、種々のシステム及びそれが使用される際に接続されるデータ速度に関連した著しい柔軟性が送受信機に与えられる。
【０１１８】
同様に、電源回路１０６はまた、電源回路１０６からのＬＤＩ電力出力に影響を与え得る、従って、ＴＯＳＡ３００Ａの送信速度に影響を与え得るシステムの動作温度及び環境条件に対する補償を行うようにプログラムされ得る。この例示の実施形態においては、送受信機は、電源回路１０６に関連して動作を行うよう設けられた温度センサを含んでおり、それによって、典型的には送受信機のプログラミングの一部を構成する特定の温度条件の検出に応答して、自動的に、出力電力ＬＤＩの変更が実行される。
【０１１９】
ＬＯＳの閾値及び出力電力ＬＤＩのプログラミングに関連した、本発明の前記実施形態について、それらは、例示の実施形態に過ぎず、本発明の範囲を何ら制限する意図はないことは注意すべきである。一般に、上述したように、本発明の例示の実施形態において、本明細書に開示の図１及び図２他において示唆した例示の信号パラメータの任意の多様な組み合わせのプログラム可能性が有効である。
【０１２０】
より一般に、本発明の実施形態は、例えば、データ送信及び受信、信号監視、信号制御、並びに、電力伝送に関連した送受信機の性能の種々の態様をプログラミングすることが可能であるように構成された任意の送受信機に拡張される。従って、本発明の範囲は、本明細書に開示の例示の実施形態に単に制限されるものとして構成されるべきではない。
【０１２１】
Ｉ．計算環境
本発明の実施形態は、以下により詳細に説明するように、種々のコンピュータのハードウェアを含む特殊用途用コンピュータ又は汎用コンピュータに接続して実行され得る。本発明の範囲内の実施形態はまた、コンピュータにより可読な媒体を含んでおり、その媒体は、その上に記憶された、コンピュータにより実行可能な命令又は電子的コンテンツ構造を備えて、若しくは有している。そのようなコンピュータにより可読な媒体は、汎用コンピュータ又は特殊用途用コンピュータによってアクセス可能な任意の利用可能な媒体である。例として、そのようなコンピュータにより可読な媒体には、ＲＡＭ，ＲＯＭ，ＥＥＰＲＯＭ，ＣＤ−ＲＯＭ又は他の光学記憶ディスク、磁気記憶ディスク又は他の磁気記憶デバイス、或いは、汎用コンピュータ又は特殊用途用コンピュータによってアクセス可能であり、かつコンピュータにより実行可能な命令又は電子的コンテンツ構造の形で所望のプログラムコードの方法を備える、若しくは記憶するのに使用可能な任意の他の媒体が含まれるが、それらに制限される訳ではない。
【０１２２】
情報が、ネットワーク又は別の（有線、無線、或いは、有線又は無線の組み合わせのいずれかの）通信接続を介して、コンピュータに移送された、若しくは提供された時、コンピュータはその接続を適当なコンピュータにより可読な媒体とみなす。このように、任意のそのような接続は適当なコンピュータにより可読な媒体と称される。上記の組み合わせもまた、コンピュータにより可読な媒体の範囲に含まれるべきである。コンピュータにより実行可能な命令は、例えば、汎用コンピュータ、特殊用途用コンピュータ、又は特殊用途用の処理デバイスによる特定の機能又は機能のグループの実行を引き起こす命令及びコンテンツを含んでいる。
【０１２３】
必須ではないが、ネットワーク環境におけるコンピュータにより実行される、  例えばプログラム・モジュールのような、コンピュータにより実行可能な命令の一般的文脈において、本発明の態様が本明細書で説明された。一般的に、プログラム・モジュールは、ルーティン、プログラム、オブジェクト、コンポーネント、及び特定のタスク又は特定の抽象的なコンテンツタイプを実行するコンテンツ構造を含んでいる。コンピュータにより実行可能な命令、関連するコンテンツ構造、及びプログラム・モジュールは、本明細書に開示の方法のステップを実行するためのプログラムコードの手段の例を表している。そのような実行可能な命令又は関連するコンテンツ構造の特定の順序は、そのようなステップにおいて説明される機能を実行するための対応する動作の例を表す。
【０１２４】
もちろん、本発明は、パーソナルコンピュータ（ＰＣ）、携帯用デバイス、マルチプロセッサ・システム、マイクロプロセッサに基づいた、若しくはプログラム可能な家庭用電化製品、ネットワーク・パーソナルコンピュータ、ミニコンピュータ、メインフレーム・コンピュータ等を含む多様なタイプのコンピュータシステムの構造を備えたネットワーク・コンピューティング環境において実行され得る。本発明はまた、通信ネットワークを介して、（有線接続、無線接続、或いは有線又は無線接続の組み合わせによって）接続されたローカル及びリモートの処理デバイスによってタスクが実行される分布型コンピューティング環境においても実行され得る。分布型コンピューティング環境において、例えば、プログラム・モジュールは、ローカル及びリモートの両方のメモリ記憶デバイスに配置さる得る。
【０１２５】
説明された実施形態は、全ての観点において、制限するものではなく、例示するものとみなされるべきである。それゆえ、本発明の範囲は、前記説明によりも寧ろ、添付請求項によって表される。請求項と等価な意味及び範囲内における全ての変更は、本発明の範囲内に含まれるべきである。
【図面の簡単な説明】
【０１２６】
【図１】本発明の実施形態の例示の動作環境の種々の態様を示すブロック図。
【図２】デジタル制御インターフェイスを含む、集積型ＰＡ／ＬＤの例示の実施形態の態様を示す回路図。
【図３】データ信号の極性の制御を促進するのに使用されるアンプの例示の実施形態の態様を示す回路図。
【図４】デジタルＩＣコントローラにより生成された入射多重化デジタル制御信号を処理するための例示の方法の態様を示すフロー図。
【図５】集積型ＰＡ／ＬＤの一つ若しくは複数の制御デバイスが、集積型ＰＡ／ＬＤにより受信された、若しくは送信されたデータ信号に関する種々の動作を実行することを引き起こす制御信号及び／又は他の信号を使用するための例示の方法の一般的態様を示すフロー図。
【図６】ＲＸＩＮの信号消失の閾値のプログラミングを可能にするように構成されたデバイスの態様を示す回路図。
【図１】
2005535271.tif 000003
【図２】
2005535271.tif 000004
【図３】
2005535271.tif 000005
【図４】
2005535271.tif 000006
【図５】
2005535271.tif 000007
【図６】
2005535271.tif 000008
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
光学受信機及び光学送信機と共に使用するための集積型ポスト・アンプ及びレーザー・ドライバ・アセンブリであって、
前記光学受信機と通信するように構成されたポスト・アンプ・アセンブリと、
前記ポスト・アンプ・アセンブリと共に単一のＩＣにより具体化され、かつ前記光学送信機と通信するように構成されたレーザー・ドライバ・アセンブリと、
前記ポスト・アンプ・アセンブリ及び前記レーザー・ドライバ・アセンブリと少なくとも間接的に通信するデジタル制御インターフェイスと、を備える集積型ポスト・アンプ及びレーザー・ドライバ・アセンブリ。
【請求項２】
請求項１に記載の集積型ポスト・アンプ及びレーザー・ドライバ・アセンブリは、更に、信号パラメータ・プログラミング命令に応答して信号パラメータを設定する手段を備え、前記信号パラメータは、前記ポスト・アンプ・アセンブリ及び前記レーザー・ドライバ・アセンブリの少なくとも一方に関連する信号に対応する、集積型ポスト・アンプ及びレーザー・ドライバ・アセンブリ。
【請求項３】
請求項２に記載の集積型ポスト・アンプ及びレーザー・ドライバ・アセンブリにおいて、前記信号パラメータの設定手段は、一つ以上の信号パラメータの動的な制御を可能にする、集積型ポスト・アンプ及びレーザー・ドライバ・アセンブリ。
【請求項４】
請求項２に記載の集積型ポスト・アンプ及びレーザー・ドライバ・アセンブリにおいて、ユーザと、前記集積型ポスト・アンプ及びレーザー・ドライバ・アセンブリ内部にエンコードされたアルゴリズムとのうちの一方から、少なくとも間接的に受信した信号パラメータ・プログラミング命令に応答して、前記信号パラメータの設定手段は動作する、集積型ポスト・アンプ及びレーザー・ドライバ・アセンブリ。
【請求項５】
請求項２に記載の集積型ポスト・アンプ及びレーザー・ドライバ・アセンブリにおいて、前記信号パラメータの設定手段は、前記集積型ポスト・アンプ及びレーザー・ドライバ・アセンブリに関連した熱的条件の変化に対応する信号パラメータの変更の実行を可能にする、集積型ポスト・アンプ及びレーザー・ドライバ・アセンブリ。
【請求項６】
請求項２に記載の集積型ポスト・アンプ及びレーザー・ドライバ・アセンブリにおいて、前記信号パラメータが対応する前記信号は、制御信号と、データ信号と、電力信号と、監視信号とから成るグループから選択される、集積型ポスト・アンプ及びレーザー・ドライバ・アセンブリ。
【請求項７】
請求項２に記載の集積型ポスト・アンプ及びレーザー・ドライバ・アセンブリにおいて、前記デジタル制御インターフェイスは、シリアル・デジタル・インターフェイスを備える、集積型ポスト・アンプ及びレーザー・ドライバ・アセンブリ。
【請求項８】
請求項２に記載の集積型ポスト・アンプ及びレーザー・ドライバ・アセンブリは、更に、信号の極性を制御する手段であって、前記集積型ポスト・アンプ及びレーザー・ドライバ・アセンブリに関連付けられたデータ信号に関連する動作のために用意された信号極性の制御手段を備える、集積型ポスト・アンプ及びレーザー・ドライバ・アセンブリ。
【請求項９】
請求項２に記載の集積型ポスト・アンプ及びレーザー・ドライバ・アセンブリは、更に、前記信号パラメータに対応する前記信号に関連する動作のために構成され、かつ用意されたフィードバック・ループを備える、集積型ポスト・アンプ及びレーザー・ドライバ・アセンブリ。
【請求項１０】
請求項２に記載の集積型ポスト・アンプ及びレーザー・ドライバ・アセンブリは、複数のプロトコル及び回線速度に適合する、集積型ポスト・アンプ及びレーザー・ドライバ・アセンブリ。
【請求項１１】
請求項１に記載の集積型ポスト・アンプ及びレーザー・ドライバ・アセンブリは、更に、信号の極性を制御する手段を備える、集積型ポスト・アンプ及びレーザー・ドライバ・アセンブリ
【請求項１２】
請求項１１に記載の集積型ポスト・アンプ及びレーザー・ドライバ・アセンブリにおいて、
前記信号極性の制御手段は、
第一及び第二伝播経路を含む信号を受信すること、
前記信号の極性が所定の基準と一致するか否かを判断すること、
前記所定の基準と一致する極性を有する変更信号を生成するために、必要に応じて、前記信号の極性を調整することによって前記信号を変更すること、
前記変更信号を送信すること、とを備えるプロセスを実行する、集積型ポスト・アンプ及びレーザー・ドライバ・アセンブリ。
【請求項１３】
請求項１に記載の集積型ポスト・アンプ及びレーザー・ドライバ・アセンブリにおいて、前記レーザー・ドライバ・アセンブリは、前記光学送信機と通信するように構成され、かつ前記デジタル制御インターフェイスと少なくとも間接的に通信する電源回路を含む、集積型ポスト・アンプ及びレーザー・ドライバ・アセンブリ。
【請求項１４】
請求項１３に記載の集積型ポスト・アンプ及びレーザー・ドライバ・アセンブリにおいて、前記電源回路は、基準電圧入力及び光学送信機電力レベル入力を含む、集積型ポスト・アンプ及びレーザー・ドライバ・アセンブリ。
【請求項１５】
請求項１に記載の集積型ポスト・アンプ及びレーザー・ドライバ・アセンブリにおいて、前記レーザー・ドライバ・アセンブリは、前記レーザー・ドライバ・アセンブリにより受信された前記データ信号の立ち上がり時間と、前記レーザー・ドライバ・アセンブリにより受信された前記データ信号の振幅とのうちの少なくとも一方を変更するように構成されている、集積型ポスト・アンプ及びレーザー・ドライバ・アセンブリ。
【請求項１６】
請求項１に記載の集積型ポスト・アンプ及びレーザー・ドライバ・アセンブリにおいて、前記ポスト・アンプ・アセンブリは、前記ポスト・アンプ・アセンブリにより受信された前記データ信号の立ち上がり時間と、前記ポスト・アンプ・アセンブリにより受信された前記データ信号の振幅とのうちの少なくとも一方を変更するように構成されている、集積型ポスト・アンプ及びレーザー・ドライバ・アセンブリ。
【請求項１７】
請求項１に記載の集積型ポスト・アンプ及びレーザー・ドライバ・アセンブリにおいて、前記ポスト・アンプ・アセンブリは、前記ポスト・アンプ・アセンブリによって受信された前記光学受信機からのデータ信号に関するフィードバックを生成するように構成されている、集積型ポスト・アンプ及びレーザー・ドライバ・アセンブリ。
【請求項１８】
請求項１に記載の集積型ポスト・アンプ及びレーザー・ドライバ・アセンブリは、更に、
前記デジタル制御インターフェイスと通信するグルー論理モジュールと、
前記グルー論理モジュール及び前記ポスト・アンプ・アセンブリと通信する第一デジタル・アナログ変換器と、
前記グルー論理モジュール及び前記レーザー・ドライバ・アセンブリと通信する第二デジタル・アナログ変換器とを備える、集積型ポスト・アンプ及びレーザー・ドライバ・アセンブリ。
【国際調査報告】
2005535271.tif 000009